(57)【特許請求の範囲】
【請求項１】
複数の運転者のそれぞれの個人走行履歴であって、運転者によって選択された車両の一または複数の挙動と、前記一または複数の挙動のそれぞれが選択されたときの前記車両の走行環境とを対応付けて示す個人走行履歴を取得する履歴取得部と、
前記複数の運転者のそれぞれの個人走行履歴を含む走行履歴のうち、少なくとも一部の運転者の個人走行履歴をモデル化することによって、前記少なくとも一部の運転者の車両における挙動と走行環境との関係を示すドライバモデルを構築するモデル化部と
推定対象の運転者の車両の走行環境を取得する環境取得部と、
構築された前記ドライバモデルにおいて、前記環境取得部によって取得された前記走行環境に関係付けられた挙動を、前記推定対象の運転者の車両の挙動として推定する挙動推定部と、
挙動の候補を表示する表示部とを備え、
前記複数の運転者のそれぞれの個人走行履歴は、
運転者によって選択された車両の挙動ごとに、当該挙動が選択されたときの前記車両の走行環境として、少なくとも１つの環境パラメータのそれぞれの数値からなるパラメータセットである第１のパラメータセットと、当該挙動が候補として表示されたときの走行環境として、少なくとも１つの環境パラメータのそれぞれの数値からなるパラメータセットである第２のパラメータセットとを、当該挙動に対応付けて示し、
前記モデル化部は、
前記少なくとも一部の運転者の個人走行履歴に示される、前記第１のパラメータセットに含まれる各環境パラメータの数値をモデル化し、かつ、前記第２のパラメータセットに含まれる各環境パラメータの数値をモデル化することによって、前記少なくとも一部の運転者の車両における挙動と前記第１のパラメータセットと前記第２のパラメータとの関係を示す前記ドライバモデルを構築し、
前記環境取得部は、
前記推定対象の運転者の車両の走行環境をパラメータセットとして取得し、
前記挙動推定部は、
構築された前記ドライバモデルにおいて、前記環境取得部によって取得された前記パラメータセットに類似する前記第１のパラメータセットまたは前記第２のパラメータセットに関係付けられた挙動を、前記推定対象の運転者の車両の挙動として推定する
情報処理システム。
【請求項２】
前記モデル化部は、
前記走行履歴のうち、互いに類似する複数の個人走行履歴からなるグループごとに、前記互いに類似する複数の個人走行履歴をモデル化することによって、モデル運転者ごとの車両における挙動と走行環境との関係を示す前記ドライバモデルを構築し、
前記挙動推定部は、
前記推定対象の運転者の個人走行履歴と類似する、挙動と走行環境との関係を有するモデル運転者を前記ドライバモデルから選択し、
選択された前記モデル運転者が有する、挙動と走行環境との関係において、前記環境取得部によって取得された前記走行環境に関係付けられた挙動を、前記推定対象の運転者の車両の挙動として推定する
請求項１に記載の情報処理システム。
【請求項３】
前記複数の運転者のそれぞれの個人走行履歴は、
走行環境ごとに、予め定められた一または複数の挙動のそれぞれの当該走行環境において選択された頻度を示し、
前記モデル化部は、
走行環境ごとに、前記予め定められた一または複数の挙動のそれぞれについて、前記互いに類似する複数の個人走行履歴に示される当該挙動の頻度を平均化することによって、前記互いに類似する複数の個人走行履歴をモデル化する
請求項２に記載の情報処理システム。
【請求項４】
前記モデル化部は、
前記走行履歴のうち、前記推定対象の運転者の個人走行履歴に類似する複数の個人走行履歴をモデル化することによって、前記推定対象の運転者に対応する前記ドライバモデルを構築する
請求項１に記載の情報処理システム。
【請求項５】
前記挙動推定部は、
構築された前記ドライバモデルにおいて、前記環境取得部によって取得された前記パラメータセットに類似する前記第１のパラメータセットに関係付けられた挙動を優先的に、前記推定対象の運転者の車両の挙動として推定する
請求項１〜４の何れか１項に記載の情報処理システム。
【請求項６】
前記個人走行履歴は、
前記一または複数の挙動として一または複数種の車速での走行を示し、
前記環境取得部は、
前記推定対象の運転者の車両が、０を含む予め定められた範囲の加速度で第１の期間だけ継続して走行しているときの、前記車両の走行環境をパラメータセットとして取得し、
前記挙動推定部は、
構築された前記ドライバモデルにおいて、前記環境取得部によって取得された前記パラメータセットに類似する前記第１のパラメータセットに関連付けられた車速での走行を、前記推定対象の運転者の車両の挙動として推定し、
前記情報処理システムは、さらに、
前記挙動推定部によって推定された前記車速での走行を前記車両が実施するように、前記車両を制御する車両制御部を備える
請求項１〜５の何れか１項に記載の情報処理システム。
【請求項７】
前記個人走行履歴は、
前記一または複数の挙動として一または複数種の車間距離での走行を示し、
前記環境取得部は、
前記推定対象の運転者の車両が走行し、かつ、前記車両と他車両との間の車間距離の単位時間当たりの変化量が、０を含む予め定められた範囲にある状態が、第２の期間だけ継続しているときの、前記車両の走行環境をパラメータセットとして取得し、
前記挙動推定部は、
構築された前記ドライバモデルにおいて、前記環境取得部によって取得された前記パラメータセットに類似する前記第１のパラメータセットに関連付けられた車間距離での走行を、前記推定対象の運転者の車両の挙動として推定し、
前記情報処理システムは、さらに、
前記挙動推定部によって推定された前記車間距離での走行を、前記推定対象の運転者の車両が実施するように、前記車両を制御する車両制御部を備える
請求項１〜５の何れか１項に記載の情報処理システム。
【請求項８】
前記個人走行履歴は、
前記一または複数の挙動として一または複数種の加速度パターンでの走行を示し、
前記環境取得部は、
前記推定対象の運転者の車両の加速度の絶対値が第１の閾値を超えてから、前記第１の閾値よりも低い第２の閾値以下になるまでの期間に対応する時点における、前記車両の走行環境をパラメータセットとして取得し、
前記挙動推定部は、
構築された前記ドライバモデルにおいて、前記環境取得部によって取得された前記パラメータセットに類似する前記第１のパラメータセットに関連付けられた加速度パターンでの走行を、前記推定対象の運転者の車両の挙動として推定し、
前記情報処理システムは、さらに、
前記挙動推定部によって推定された前記加速度パターンでの走行を、前記推定対象の運転者の車両が実施するように、前記車両を制御する車両制御部を備える
請求項１〜５の何れか１項に記載の情報処理システム。
【請求項９】
前記情報処理システムは、さらに、
複数の運転者のそれぞれの個人運転特性であって、運転者の運転によって実施された車両の一または複数の挙動と、前記一または複数の挙動のそれぞれを実施するために行われた前記車両の運転の特徴量とを対応付けて示す個人運転特性を取得する特性取得部と、
前記推定対象の運転者の車両を制御する車両制御部とを備え、
前記モデル化部は、さらに、
前記複数の運転者のそれぞれの個人運転特性を含む運転特性のうち、少なくとも一部の運転者の個人運転特性をモデル化することによって、前記少なくとも一部の運転者の車両における挙動と特徴量との関係を示す運転特性モデルを構築し、
前記車両制御部は、
前記一または複数の挙動のうちの何れかの挙動が、実施対象の挙動として、運転者によって選択されたとき、または、前記挙動推定部によって推定されたときには、
構築された前記運転特性モデルにおいて、前記実施対象の挙動に関係付けられた特徴量にしたがって、前記推定対象の運転者の車両の運転を制御する
請求項１〜５の何れか１項に記載の情報処理システム。
【請求項１０】
前記情報処理システムは、さらに、
複数の運転者のそれぞれについて、当該運転者によって選択された車両の挙動を、前記挙動が選択されたときの前記車両の走行環境と共に取得して、予め定められた判定基準に基づいて前記挙動が危険か否かを判定する危険判定部を備える
請求項１〜９の何れか１項に記載の情報処理システム。
【請求項１１】
前記情報処理システムは、さらに、
前記複数の運転者のそれぞれの個人危険走行履歴を取得する危険履歴取得部と、
運転者に対して警告するための処理を行う警告処理部とを備え、
前記危険判定部は、
前記車両の挙動が（ａ）危険ではないと判定した場合には、前記挙動と前記走行環境とを含む情報を、個人走行情報として出力し、（ｂ）危険であると判定した場合には、前記挙動と前記走行環境とを含む情報を、個人危険走行情報として出力し、
前記履歴取得部は、
複数の運転者のそれぞれについて、前記危険判定部から出力される複数の前記個人走行情報からなる情報群を当該運転者の前記個人走行履歴として取得し、
前記危険履歴取得部は、
複数の運転者のそれぞれについて、前記危険判定部から出力される複数の前記個人危険走行情報からなる情報群を当該運転者の前記個人危険走行履歴として取得し、
前記モデル化部は、さらに、
前記複数の運転者のそれぞれの前記個人危険走行履歴からなる危険走行履歴のうち、少なくとも一部の運転車の個人危険走行履歴をモデル化することによって、前記少なくとも一部の車両における危険な挙動と走行環境との関係を示す危険ドライバモデルを構築し、
前記警告処理部は、
構築された前記危険ドライバモデルにおいて、前記環境取得部によって取得された前記走行環境に関係付けられた危険な挙動を、前記推定対象の運転者の車両の挙動として推定し、推定された前記危険な挙動に対する前記推定対象の運転者への警告を行うための処理を実行する
請求項１０に記載の情報処理システム。
【請求項１２】
複数の運転者のそれぞれの個人走行履歴であって、運転者によって選択された車両の一または複数の挙動と、前記一または複数の挙動のそれぞれが選択されたときの前記車両の走行環境とを対応付けて示す個人走行履歴を取得し、
前記複数の運転者のそれぞれの個人走行履歴を含む走行履歴のうち、少なくとも一部の運転者の個人走行履歴をモデル化することによって、前記少なくとも一部の運転者の車両における挙動と走行環境との関係を示すドライバモデルを構築し、
推定対象の運転者の車両の走行環境を取得し、
構築された前記ドライバモデルにおいて、取得された前記走行環境に関係付けられた挙動を、前記推定対象の運転者の車両の挙動として推定し、
挙動の候補を表示し、
前記複数の運転者のそれぞれの個人走行履歴は、
運転者によって選択された車両の挙動ごとに、当該挙動が選択されたときの前記車両の走行環境として、少なくとも１つの環境パラメータのそれぞれの数値からなるパラメータセットである第１のパラメータセットと、当該挙動が候補として表示されたときの走行環境として、少なくとも１つの環境パラメータのそれぞれの数値からなるパラメータセットである第２のパラメータセットとを、当該挙動に対応付けて示し、
前記ドライバモデルの構築では、
前記少なくとも一部の運転者の個人走行履歴に示される、前記第１のパラメータセットに含まれる各環境パラメータの数値をモデル化し、かつ、前記第２のパラメータセットに含まれる各環境パラメータの数値をモデル化することによって、前記少なくとも一部の運転者の車両における挙動と前記第１のパラメータセットと前記第２のパラメータとの関係を示す前記ドライバモデルを構築し、
前記走行環境の取得では、
前記推定対象の運転者の車両の走行環境をパラメータセットとして取得し、
前記挙動の推定では、
構築された前記ドライバモデルにおいて、取得された前記パラメータセットに類似する前記第１のパラメータセットまたは前記第２のパラメータセットに関係付けられた挙動を、前記推定対象の運転者の車両の挙動として推定する
情報処理方法。
【請求項１３】
複数の運転者のそれぞれの個人走行履歴であって、運転者によって選択された車両の一または複数の挙動と、前記一または複数の挙動のそれぞれが選択されたときの前記車両の走行環境とを対応付けて示す個人走行履歴を取得し、
前記複数の運転者のそれぞれの個人走行履歴を含む走行履歴のうち、少なくとも一部の運転者の個人走行履歴をモデル化することによって、前記少なくとも一部の運転者の車両における挙動と走行環境との関係を示すドライバモデルを構築し、
推定対象の運転者の車両の走行環境を取得し、
構築された前記ドライバモデルにおいて、取得された前記走行環境に関係付けられた挙動を、前記推定対象の運転者の車両の挙動として推定し、
挙動の候補を表示する、
ことをコンピュータに実行させ、
前記複数の運転者のそれぞれの個人走行履歴は、
運転者によって選択された車両の挙動ごとに、当該挙動が選択されたときの前記車両の走行環境として、少なくとも１つの環境パラメータのそれぞれの数値からなるパラメータセットである第１のパラメータセットと、当該挙動が候補として表示されたときの走行環境として、少なくとも１つの環境パラメータのそれぞれの数値からなるパラメータセットである第２のパラメータセットとを、当該挙動に対応付けて示し、
前記ドライバモデルの構築では、
前記少なくとも一部の運転者の個人走行履歴に示される、前記第１のパラメータセットに含まれる各環境パラメータの数値をモデル化し、かつ、前記第２のパラメータセットに含まれる各環境パラメータの数値をモデル化することによって、前記少なくとも一部の運転者の車両における挙動と前記第１のパラメータセットと前記第２のパラメータとの関係を示す前記ドライバモデルを構築し、
前記走行環境の取得では、
前記推定対象の運転者の車両の走行環境をパラメータセットとして取得し、
前記挙動の推定では、
構築された前記ドライバモデルにおいて、取得された前記パラメータセットに類似する前記第１のパラメータセットまたは前記第２のパラメータセットに関係付けられた挙動を、前記推定対象の運転者の車両の挙動として推定する
プログラム。
【請求項１４】
前記情報処理システムは、さらに、
前記挙動推定部によって推定された挙動を、前記挙動が実施される前に、前記推定対象の運転者に報知する報知部を備える
請求項１〜１１の何れか１項に記載の情報処理システム。
【発明の詳細な説明】
【技術分野】
【０００１】
本発明は、車両に関する情報を処理する情報処理システム、情報処理方法、およびプログラムに関する。
【背景技術】
【０００２】
近年、車両の周囲の状況や前記車両の走行状態（例えば、自車両の速度や操舵・アクセル・ブレーキ・方向指示器・アクチュエータの制御情報など）に基づいて、運転者が自ら運転操作を行う手動運転と一部若しくはすべての運転操作を自動で行う自動運転とによる走行が可能な車両や完全自動運転可能な車両に関する様々な技術が提案され、実用化されている。【０００３】
例えば、特許文献１には、自車両が自動操舵制御や自動加減速制御となる場合に、自動操舵制御や自動加減速制御の作動状態を視覚的にドライバに認識させる走行制御装置が開示されている。
【先行技術文献】
【特許文献】
【０００４】
【特許文献１】特開２００５−６７４８３号公報
【発明の概要】
【発明が解決しようとする課題】
【０００５】
しかしながら、上記特許文献１の走行制御装置（すなわち情報処理システム）では、運転者に適した運転操作を推定することが困難であるという問題がある。なお、運転操作は、運転行動または挙動ともいう。【０００６】
そこで、本発明は、運転者に適した運転行動を推定することができる情報処理システムなどを提供する。
【課題を解決するための手段】
【０００７】
本発明の一態様に係る情報処理システムは、複数の運転者のそれぞれの個人走行履歴であって、運転者によって選択された車両の一または複数の挙動と、前記一または複数の挙動のそれぞれが選択されたときの前記車両の走行環境とを対応付けて示す個人走行履歴を取得する履歴取得部と、前記複数の運転者のそれぞれの個人走行履歴を含む走行履歴のうち、少なくとも一部の運転者の個人走行履歴をモデル化することによって、前記少なくとも一部の運転者の車両における挙動と走行環境との関係を示すドライバモデルを構築するモデル化部とを備える。例えば、前記情報処理システムは、さらに、推定対象の運転者の車両の走行環境を取得する環境取得部と、構築された前記ドライバモデルにおいて、前記環境取得部によって取得された前記走行環境に関係付けられた挙動を、前記推定対象の運転者の車両の挙動として推定する挙動推定部とを備える。【０００８】
これにより、ドライバモデルを用いて推定対象の運転者の車両の挙動が推定されるため、その推定対象の運転者の個人走行履歴が挙動の推定に不十分であっても、その運転者の車両の挙動を適切に推定することができる。つまり、運転者に適した運転行動を推定することができる。【０００９】
また、前記モデル化部は、前記走行履歴のうち、互いに類似する複数の個人走行履歴からなるグループごとに、前記互いに類似する複数の個人走行履歴をモデル化することによって、モデル運転者ごとの車両における挙動と走行環境との関係を示す前記ドライバモデルを構築し、前記挙動推定部は、前記推定対象の運転者の個人走行履歴と類似する、挙動と走行環境との関係を有するモデル運転者を前記ドライバモデルから選択し、選択された前記モデル運転者が有する、挙動と走行環境との関係において、前記環境取得部によって取得された前記走行環境に関係付けられた挙動を、前記推定対象の運転者の車両の挙動として推定してもよい。【００１０】
これにより、推定対象の運転者の個人走行履歴と類似する、挙動と走行環境との関係を有するモデル運転者が選択され、そのモデル運転者の関係を用いてその推定対象の運転者の車両の挙動が推定されるため、運転者により適した挙動（すなわち運転行動）を推定することができる。【００１１】
また、前記複数の運転者のそれぞれの個人走行履歴は、走行環境ごとに、予め定められた一または複数の挙動のそれぞれの当該走行環境において選択された頻度を示し、前記モデル化部は、走行環境ごとに、前記予め定められた一または複数の挙動のそれぞれについて、前記互いに類似する複数の個人走行履歴に示される当該挙動の頻度を平均化することによって、前記互いに類似する複数の個人走行履歴をモデル化してもよい。【００１２】
これにより、モデル化を簡単に、且つ適切に行うことができる。【００１３】
また、前記モデル化部は、前記走行履歴のうち、前記推定対象の運転者の個人走行履歴に類似する複数の個人走行履歴をモデル化することによって、前記推定対象の運転者に対応する前記ドライバモデルを構築してもよい。【００１４】
これにより、走行履歴のうち、推定対象の運転者の個人走行履歴に類似する複数の個人走行履歴がモデル化されるため、その運転者により適した挙動（すなわち運転行動）を推定することができる。【００１５】
また、前記複数の運転者のそれぞれの個人走行履歴は、前記一または複数の挙動のそれぞれが選択されたときの前記車両の走行環境を、少なくとも１つの環境パラメータのそれぞれの数値からなるパラメータセットである第１のパラメータセットとして示し、前記モデル化部は、前記少なくとも一部の運転者の個人走行履歴に示される、前記第１のパラメータセットに含まれる各環境パラメータの数値をモデル化することによって、前記少なくとも一部の運転者の車両における挙動と前記第１のパラメータセットとの関係を示す前記ドライバモデルを構築し、前記環境取得部は、前記推定対象の運転者の車両の走行環境をパラメータセットとして取得し、前記挙動推定部は、構築された前記ドライバモデルにおいて、前記環境取得部によって取得された前記パラメータセットに類似する第１のパラメータセットに関連付けられた挙動を、前記推定対象の運転者の車両の挙動として推定してもよい。【００１６】
これにより、走行環境がパラメータ化されているため、走行環境を細分化することができ、どのような走行環境であっても、その走行環境に応じた挙動（すなわち運転行動）を推定することができる。【００１７】
また、前記情報処理システムは、挙動の候補を表示する表示部を備え、前記複数の運転者のそれぞれの個人走行履歴は、さらに、運転者によって選択された車両の挙動ごとに、当該挙動が候補として表示されたときの走行環境として、少なくとも１つの環境パラメータのそれぞれの数値からなるパラメータセットである第２のパラメータセットを、当該挙動に対応付けて示し、前記モデル化部は、前記少なくとも一部の運転者の個人走行履歴に示される、前記第１のパラメータセットに含まれる各環境パラメータの数値をモデル化し、かつ、前記第２のパラメータセットに含まれる各環境パラメータの数値をモデル化することによって、前記少なくとも一部の運転者の車両における挙動と前記第１のパラメータセットと前記第２のパラメータとの関係を示す前記ドライバモデルを構築し、前記挙動推定部は、構築された前記ドライバモデルにおいて、前記環境取得部によって取得された前記パラメータセットに類似する前記第１のパラメータセットまたは前記第２のパラメータセットに関係付けられた挙動を、前記推定対象の運転者の車両の挙動として推定してもよい。【００１８】
これにより、事前により適切な挙動（すなわち運転行動）を推定することができる。【００１９】
また、前記挙動推定部は、構築された前記ドライバモデルにおいて、前記環境取得部によって取得された前記パラメータセットに類似する前記第１のパラメータセットに関係付けられた挙動を優先的に、前記推定対象の運転者の車両の挙動として推定してもよい。【００２０】
これにより、挙動の推定の処理を適切に行うことができる。【００２１】
また、前記個人走行履歴は、前記一または複数の挙動として一または複数種の車速での走行を示し、前記環境取得部は、前記推定対象の運転者の車両が、０を含む予め定められた範囲の加速度で第１の期間だけ継続して走行しているときの、前記車両の走行環境をパラメータセットとして取得し、前記挙動推定部は、構築された前記ドライバモデルにおいて、前記環境取得部によって取得された前記パラメータセットに類似する前記第１のパラメータセットに関連付けられた車速での走行を、前記推定対象の運転者の車両の挙動として推定し、前記情報処理システムは、さらに、前記挙動推定部によって推定された前記車速での走行を前記車両が実施するように、前記車両を制御する車両制御部を備えてもよい。【００２２】
これにより、走行環境に応じた車速であって、かつ運転者に適した車速での走行を車両に実施させることができる。【００２３】
また、前記個人走行履歴は、前記一または複数の挙動として一または複数種の車間距離での走行を示し、前記環境取得部は、前記推定対象の運転者の車両が走行し、かつ、前記車両と他車両との間の車間距離の単位時間当たりの変化量が、０を含む予め定められた範囲にある状態が、第２の期間だけ継続しているときの、前記車両の走行環境をパラメータセットとして取得し、前記挙動推定部は、構築された前記ドライバモデルにおいて、前記環境取得部によって取得された前記パラメータセットに類似する前記第１のパラメータセットに関連付けられた車間距離での走行を、前記推定対象の運転者の車両の挙動として推定し、前記情報処理システムは、さらに、前記挙動推定部によって推定された前記車間距離での走行を、前記推定対象の運転者の車両が実施するように、前記車両を制御する車両制御部を備えてもよい。【００２４】
これにより、走行環境に応じた車間距離であって、かつ運転者に適した車間距離での走行を車両に実施させることができる。【００２５】
また、前記個人走行履歴は、前記一または複数の挙動として一または複数種の加速度パターンでの走行を示し、前記環境取得部は、前記推定対象の運転者の車両の加速度の絶対値が第１の閾値を超えてから、前記第１の閾値よりも低い第２の閾値以下になるまでの期間に対応する時点における、前記車両の走行環境をパラメータセットとして取得し、前記挙動推定部は、構築された前記ドライバモデルにおいて、前記環境取得部によって取得された前記パラメータセットに類似する前記第１のパラメータセットに関連付けられた加速度パターンでの走行を、前記推定対象の運転者の車両の挙動として推定し、前記情報処理システムは、さらに、前記挙動推定部によって推定された前記加速度パターンでの走行を、前記推定対象の運転者の車両が実施するように、前記車両を制御する車両制御部を備えてもよい。【００２６】
これにより、走行環境に応じた加速度パターンであって、かつ運転者に適した加速度パターンでの走行を車両に実施させることができる。【００２７】
また、前記情報処理システムは、さらに、複数の運転者のそれぞれの個人運転特性であって、運転者の運転によって実施された車両の一または複数の挙動と、前記一または複数の挙動のそれぞれを実施するために行われた前記車両の運転の特徴量とを対応付けて示す個人運転特性を取得する特性取得部と、前記推定対象の運転者の車両を制御する車両制御部とを備え、前記モデル化部は、さらに、前記複数の運転者のそれぞれの個人運転特性を含む運転特性のうち、少なくとも一部の運転者の個人運転特性をモデル化することによって、前記少なくとも一部の運転者の車両における挙動と特徴量との関係を示す運転特性モデルを構築し、前記車両制御部は、前記一または複数の挙動のうちの何れかの挙動が、実施対象の挙動として、運転者によって選択されたとき、または、前記挙動推定部によって推定されたときには、構築された前記運転特性モデルにおいて、前記実施対象の挙動に関係付けられた特徴量にしたがって、前記推定対象の運転者の車両の運転を制御してもよい。【００２８】
これにより、運転者の車両の挙動は、その運転者の運転特性、すなわち運転の癖にしたがって行われるため、その運転者により適した運転行動を行うことができる。【００２９】
また、前記情報処理システムは、さらに、複数の運転者のそれぞれについて、当該運転者によって選択された車両の挙動を、前記挙動が選択されたときの前記車両の走行環境と共に取得して、予め定められた判定基準に基づいて前記挙動が危険か否かを判定する危険判定部を備えてもよい。前記情報処理システムは、さらに、前記複数の運転者のそれぞれの個人危険走行履歴を取得する危険履歴取得部と、運転者に対して警告するための処理を行う警告処理部とを備えてもよい。前記危険判定部は、前記車両の挙動が（ａ）危険ではないと判定した場合には、前記挙動と前記走行環境とを含む情報を、個人走行情報として出力し、（ｂ）危険であると判定した場合には、前記挙動と前記走行環境とを含む情報を、個人危険走行情報として出力してもよい。前記履歴取得部は、複数の運転者のそれぞれについて、前記危険判定部から出力される複数の前記個人走行情報からなる情報群を当該運転者の前記個人走行履歴として取得してもよい。前記危険履歴取得部は、複数の運転者のそれぞれについて、前記危険判定部から出力される複数の前記個人危険走行情報からなる情報群を当該運転者の前記個人危険走行履歴として取得してもよい。前記モデル化部は、さらに、前記複数の運転者のそれぞれの前記個人危険走行履歴からなる危険走行履歴のうち、少なくとも一部の運転車の個人危険走行履歴をモデル化することによって、前記少なくとも一部の車両における危険な挙動と走行環境との関係を示す危険ドライバモデルを構築してもよい。前記警告処理部は、構築された前記危険ドライバモデルにおいて、前記環境取得部によって取得された前記走行環境に関係付けられた危険な挙動を、前記推定対象の運転者の車両の挙動として推定し、推定された前記危険な挙動に対する前記推定対象の運転者への警告を行うための処理を実行してもよい。【００３０】
これにより、例えば推定対象の運転者が手動運転しているときには、追突または車線逸脱などの危険な挙動を回避するための警告をその運転者に行うことができ、危険な挙動の発生を抑えることができる。【００３１】
また、前記情報処理システムは、さらに、前記挙動推定部によって推定された挙動を、前記挙動が実施される前に、前記推定対象の運転者に報知する報知部を備えてもよい。【００３２】
これにより、推定された挙動が報知されるため、どのような挙動が行われるのかを事前に運転者に容易に把握させることができ、その運転者の不安を解消することができる。【００３３】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。【００３４】
ところで、自動運転（完全自動運転及び一部自動運転の両方を含む）中、車に運転を任せるということで、車と運転者の間の信頼関係が極めて大事であり、車両と運転者（乗員）との間に適切な情報を伝達することが必要となる。特許文献１には、運転者に対して現在の作動状態のみを報知している。【００３５】
自動運転中、車両の現在の挙動（作動状態）を報知されるだけで、これから実施する挙動（例えば、特に合流前、交差点進入の前や緊急車両が近くにいた場合や周囲の他車が何らかの作動をした/しそうなときに、車両が実施しようとする車線変更、加速、減速といった挙動）について何も知らされていない状態だと、運転者が非常に不安感を抱えてしまうという第１の課題があった。【００３６】
また、完全自動運転中だと、運転者が運転監視以外の他の行動を取っている可能性が高く、いきなり現在の作動状態のみ表示されても、現在の車両の周囲状況や車両の走行状態も把握できないし、運転者の意思で運転を指示しようとしてもすぐに対応できなく、運転者がスムーズに車へ指示を与えることができないという第２の課題があった。【００３７】
また、運転者に現在の作動状態のみを報知しているだけで、運転者が車に対して直接手動運転を行おうとしても、すぐに切り替えられないという第３の課題があった。【００３８】
また、運転者若しくは乗員によって、車が同じ動作を取るとしても、動作のタイミングや操作量は人によって異なり、実際運転者が手動運転する場合の感覚と乖離する可能性が高く、最悪な場合、自動運転中に運転者による不要な操作介入を誘発してしまうことがあるという第４の課題があった。【００３９】
そこで、本発明は、完全自動運転または一部自動運転中において、上記課題のうち少なくとも１つの課題を解決することが可能な情報報知装置、情報報知方法、情報報知プログラムおよび情報処理システムについても提供する。【００４０】
すなわち、本発明の一態様に係る情報報知装置は、車両の周囲の状況及び車両の走行状態を検出する検出部と、検出部が検出した車両の周囲の状況及び車両の走行状態に基づいて車両の挙動を決定する車両制御部とを備える車両に搭載される情報報知装置であって、自動運転中に車両の挙動を更新する可能性があると判定された場合に、実施する挙動の情報を取得する情報取得部と、実施する挙動を前記車両の挙動が更新される前に報知する報知部と、を備える。【００４１】
本発明の一態様に係る情報報知方法は、車両の周囲の状況及び車両の走行状態を検出し、検出した車両の周囲の状況及び車両の走行状態に基づいて車両の挙動を決定する車両において実行される情報報知方法であって、自動運転中に車両の挙動を更新する可能性があると判定された場合に、実施する挙動の情報を取得する情報取得ステップと、実施する挙動を前記車両の挙動が更新される前に報知する報知ステップと、を含む。【００４２】
本発明の一態様に係る情報報知プログラムは、車両の周囲の状況及び車両の走行状態を検出し、検出した車両の周囲の状況及び車両の走行状態に基づいて車両の挙動を決定する車両においてコンピュータにより実行される情報報知プログラムであって、コンピュータを、自動運転中に車両の挙動を更新する可能性があると判定された場合に、実施する挙動の情報を取得する情報取得手段、前記実施する挙動を前記車両の挙動が更新される前に報知する報知手段、として機能させる。【００４３】
このような情報報知装置、情報報知方法または情報報知プログラムによれば、完全自動運転または一部自動運転において、車両と運転者の操作が対立しにくい、快適な自動運転ができるように、適切に情報を伝達することができる。
【発明の効果】
【００４４】
本発明によれば、運転者に適した運転行動を推定することができる。
【図面の簡単な説明】
【００４５】
【図１】図１は、本発明の実施の形態１に係る情報報知装置を含む車両の要部構成を示すブロック図である。
【図２】図２は、走行環境の第１の例と、それに対する報知部の表示、及び、操作部の操作について説明する図である。
【図３】図３は、報知部における表示の別の例を示す図である。
【図４】図４は、本実施の形態における情報報知処理の処理手順を示すフローチャートである。
【図５】図５は、走行環境の第１の例と、それに対する表示制御を示す図である。
【図６】図６は、走行環境の第１の例と、それに対する別の表示制御を示す図である。
【図７】図７は、走行環境の第２の例と、それに対する表示制御を示す図である。
【図８】図８は、走行環境の第３の例と、それに対する表示制御を示す図である。
【図９】図９は、走行環境の第４の例と、それに対する表示制御を示す図である。
【図１０】図１０は、走行環境の第５の例と、それに対する表示制御を示す図である。
【図１１】図１１は、図５に示した走行環境の第１の例に対する別の表示制御を示す図である。
【図１２】図１２は、図７に示した走行環境の第２の例に対する別の表示制御を示す図である。
【図１３】図１３は、本発明の実施の形態２に係る情報報知装置を含む車両の要部構成を示すブロック図である。
【図１４】図１４は、実施の形態２におけるタッチパネルの表示を説明する図である。
【図１５】図１５は、本発明の実施の形態３における報知部の表示を説明する図である。
【図１６】図１６は、走行履歴の一例を示す図である。
【図１７】図１７は、クラスタリング型のドライバモデルの構築方法を示す図である。
【図１８】図１８は、構築されたクラスタリング型のドライバモデルの一例を示す図である。
【図１９】図１９は、構築されたクラスタリング型のドライバモデルの別の一例を示す図である。
【図２０】図２０は、個別適応型のドライバモデルの構築方法を示す図である。
【図２１】図２１は、構築された個別適応型のドライバモデルの一例を示す図である。
【図２２】図２２は、運転特性モデルの一例を示す図である。
【図２３】図２３は、本発明の実施の形態４における報知部の表示を説明する図である。
【図２４】図２４は、本発明の実施の形態４における報知部の表示を説明する図である。
【図２５】図２５は、本発明の実施の形態４における報知部の表示を説明する図である。
【図２６】図２６は、本発明の実施の形態４における報知部の表示を説明する図である。
【図２７】図２７は、走行履歴の一例を示す図である。
【図２８】図２８は、本変形例におけるドライバモデルの使用方法を示す図である。
【図２９】図２９は、本変形例におけるキャッシュの配置の一例を示すブロック図である。
【図３０】図３０は、本変形例におけるキャッシュの作成方法の一例を示す図である。
【図３１】図３１は、本変形例におけるキャッシュの作成方法の一例を示す図である。
【図３２】図３２は、実施の形態５における車速、車間距離、および加速度を推定するための要部構成を示すブロック図である。
【図３３】図３３は、実施の形態５における車速および環境パラメータを収集するタイミングを示す図である。
【図３４】図３４は、実施の形態６における車間距離および環境パラメータを収集するタイミングを示す図である。
【図３５】図３５は、実施の形態５における加速度および環境パラメータを収集するタイミングを示す図である。
【図３６】図３６は、実施の形態５における加速度パターンの例を示す図である。
【図３７】図３７は、実施の形態５における記憶部に保存された情報の一例を示す図である。
【図３８】図３８は、実施の形態５における記憶部に保存された情報の他の例を示す図である。
【図３９】図３９は、本発明の一態様に係る情報処理システムの構成を示す図である。
【図４０】図４０は、本発明の一態様に係る情報処理システムにおける舵角パターンの例を示す図である。
【図４１】図４１は、本発明の一態様に係る情報処理システムにおける舵角および環境パラメータを収集するタイミングを示す図である。
【図４２】図４２は、本発明の一態様に係る、車両特性モデルを構築する情報処理システムの構成を示す図である。
【図４３】図４３は、本発明の一態様に係る車両特性を示す図である。
【図４４】図４４は、本発明の一態様に係る情報処理方法のフローチャートである。
【図４５】図４５は、本発明の一態様の変形例に係る情報処理システムの構成を示す図である。
【図４６】図４６は、本発明の一態様の変形例に係る情報処理システムの危険走行履歴格納部に格納される危険走行履歴の一例を示す図である。
【発明を実施するための形態】
【００４６】
以下、本発明の実施の形態について、図面を参照して詳細に説明する。実施の形態１〜３では、車両と運転者の操作が対立しにくい、快適な自動運転ができるように、適切に情報を伝達することができる情報報知装置、情報報知方法または情報報知プログラムを説明する。実施の形態４および５では、運転者に適した運転行動を推定することができる本発明の一態様に係る情報処理システム、情報処理方法およびプログラムを説明する。
【００４７】
なお、以下に説明する各実施の形態は一例であり、本発明はこれらの実施の形態により限定されるものではない。つまり、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４８】
また、各図は、模式図であり、必ずしも厳密に図示されたものではない。また、各図において、同じ構成部材については同じ符号を付している。
【００４９】
（実施の形態１）
図１は、本発明の実施の形態１に係る情報報知装置を含む車両１の要部構成を示すブロック図である。車両１は、運転者の操作を必要とせずに、運転制御の全てまたは一部を自動で行うことができる車両である。
【００５０】
車両１は、ブレーキペダル２と、アクセルペダル３と、ウィンカーレバー４と、ハンドル５と、検出部６と、車両制御部７と、記憶部８と、情報報知装置９とを有する。
【００５１】
ブレーキペダル２は、運転者によるブレーキ操作を受けつけ、車両１を減速させる。またブレーキペダル２は、車両制御部７による制御結果を受けつけ、車両１の減速の度合いに対応した量変化してもよい。アクセルペダル３は、運転者によるアクセル操作を受けつけ、車両１を加速させる。またアクセルペダル３は、車両制御部７による制御結果を受けつけ、車両１の加速の度合いに対応した量変化してもよい。ウィンカーレバー４は、運転者によるレバー操作を受けつけ、車両１の図示しない方向指示器を点灯させる。またウィンカーレバー４は、車両制御部７による制御結果を受けつけ、車両１の方向指示方向に対応する状態にウィンカーレバー４を変化させ、車両１の図示しない方向指示器を点灯させてもよい。
【００５２】
ハンドル５は、運転者によるステアリング操作を受けつけ、車両１の走行する方向を変更する。またハンドル５は、車両制御部７による制御結果を受けつけ、車両１の走行する方向の変更に対応した量変化してもよい。ハンドル５は、操作部５１を有する。
【００５３】
操作部５１は、ハンドル５の前面（運転者と対向する面）に設けられ、運転者からの入力操作を受け付ける。操作部５１は、例えば、ボタン、タッチパネル、グリップセンサ等の装置である。操作部５１は、運転者から受けつけた入力操作の情報を車両制御部７へ出力する。
【００５４】
検出部６は、車両１の走行状態、及び、車両１の周囲の状況を検出する。そして、検出部６は、検出した走行状態、及び、周囲の状況の情報を車両制御部７へ出力する。
【００５５】
この検出部６は、位置情報取得部６１と、センサ６２と、速度情報取得部６３と、地図情報取得部６４とを有する。
【００５６】
位置情報取得部６１は、ＧＰＳ（Global Positioning System）測位等により車両１の位置情報を走行状態の情報として取得する。
【００５７】
センサ６２は、車両１の周囲に存在する他車両の位置および車線位置情報から、他車両の位置および先行車両かどうかという種別、他車両の速度と自車両の速度から衝突予測時間（ＴＴＣ：Time To Collision）、車両１の周囲に存在する障害物など、車両１の周囲の状況を検出する。
【００５８】
速度情報取得部６３は、走行状態の情報として、図示しない速度センサ等から車両１の速度や走行方向などの情報を取得する。
【００５９】
地図情報取得部６４は、車両１が走行する道路、道路における他車両との合流ポイント、現在走行中の車線、交差点の位置などの車両１の周辺の地図情報を、車両１の周囲の状況の情報として取得する。
【００６０】
なお、センサ６２は、ミリ波レーダ、レーザレーダやカメラなど、またそれらの組合せから構成される。
【００６１】
記憶部８は、ＲＯＭ（Read Only Memory）、ＲＡＭ（Random Access Memory）、ハードディスク装置やＳＳＤ（Solid State Drive）などの記憶装置であり、現時点の走行環境と、次に（第１の所定時間経過後に）とり得る挙動の候補との間の対応関係を記憶する。
【００６２】
現時点の走行環境とは、車両１の位置、車両１が走行している道路、車両１の周囲に存在する他車両の位置および速度等によって判定される環境である。なお、瞬間的なデータのみならず、その時点の前後のデータまでを基に、例えば、他車両の位置や速度により加速中、減速中、他車両が割込んできて１秒後には衝突する可能性まで判定してもよい。これにより、他車両の行動を予測することができ、走行環境をより詳細かつ正確に把握することが可能である。挙動の候補とは、現時点の走行環境に対して、車両１が次に（第１の所定時間経過後に）とり得る挙動の候補である。
【００６３】
例えば、記憶部８は、車両１が走行する車線の前方に合流路があり、車線の左方から合流する車両が存在し、かつ、車両１が走行する車線の右方への車線変更が可能な走行環境に対応付けて、車両１の加速、車両１の減速、及び、車両１の右方への車線変更の３通りの挙動の候補を予め記憶する。
【００６４】
また、記憶部８は、車両１と同一車線の前方を走行する車両（以下、「先行車両」と記載）が車両１よりも遅い速度で走行し、かつ、隣の車線への車線変更が可能な走行環境に対応付けて、先行車両を追い越す走行、隣の車線へ車線変更を行う走行、車両１を減速させて先行車両に追従する走行の３通りの挙動の候補を予め記憶する。
【００６５】
さらに、記憶部８は、それぞれの挙動の候補に対する優先順位を記憶してもよい。例えば、記憶部８は、過去の同一の走行環境において実際に採用された挙動の回数を記憶し、採用された回数の多い挙動ほど高く設定された優先順位を記憶してもよい。
【００６６】
車両制御部７は、例えば、ＬＳＩ回路、または、車両を制御する電子制御ユニット（Ｅｌｅｃｔｒｏｎｉｃ  Ｃｏｎｔｒｏｌ  Ｕｎｉｔ：ＥＣＵ）の一部として実現可能である。車両制御部７は、検出部６から取得する走行状態および周囲の状況の情報に基づいて、車両を制御し、車両制御結果に対応してブレーキペダル２、アクセルペダル３、ウィンカーレバー４、情報報知装置９を制御する。なお、車両制御部７が制御する対象は、これらに限定されない。
【００６７】
まず、車両制御部７は、走行状態および周囲の状況の情報に基づいて、現時点の走行環境を判定する。この判定には、従来提案されている様々な方法が利用され得る。
【００６８】
例えば、車両制御部７は、走行状態および周囲の状況の情報に基づいて、現時点の走行環境が、「車両１が走行する車線の前方に合流路があり、車線の左方から合流する車両が存在し、かつ、車両１が走行する車線の右方への車線変更が可能な走行環境」であると判定する。
【００６９】
また、例えば、車両制御部７は、走行状態および周囲の状況の情報に基づいて、走行環境の時系列が、「車両１と同一車線の前方を走行する車両が車両１よりも遅い速度で走行し、かつ、隣の車線への車線変更が可能な走行環境」であると判定する。
【００７０】
車両制御部７は、走行状態および周囲の状況を示す走行環境に関する情報を情報報知装置９の報知部９２に報知させる。また、車両制御部７は、判定した走行環境に対して、車両１が次に（第１の所定時間経過後に）とり得る挙動の候補を記憶部８から読み出す。
【００７１】
車両制御部７は、読み出した挙動の候補から、現在の走行環境に最も適した挙動がどれかを判定し、現在の走行環境に最も適した挙動を第１の挙動に設定する。なお、第１の挙動は車両現在実施している挙動と同じ挙動、即ち現在実施している挙動を継続することであってもよい。そして、車両制御部７は、現在の走行環境において第１の挙動を除く他に運転者が実施可能性な挙動の候補を第２の挙動（いわゆる実施する挙動とは異なる挙動）に設定する。
【００７２】
例えば、車両制御部７は、走行状態および周囲の状況の情報に基づいて最も適した挙動を判定する従来技術を用いて、最も適した挙動を第１の挙動に設定することとしてもよい。
【００７３】
または、車両制御部７は、複数の挙動の候補のうち、予め設定された挙動を最も適した挙動として設定してもよいし、前回選択された挙動の情報を記憶部８に記憶しておき、その挙動を最も適した挙動と判定してもよいし、過去に各挙動が選択された回数を記憶部８に記憶しておき、回数が最も多い挙動を最も適した挙動と判定してもよい。
【００７４】
そして、車両制御部７は、第１の挙動と第２の挙動の情報を情報報知装置９の報知部９２に報知させる。なお、車両制御部７は第２の挙動が無いと判定した場合、第１の挙動のみを報知部９２に報知させる。
【００７５】
なお、車両制御部７は、第１の挙動と第２の挙動の情報と、走行状態および周囲の状況の情報とを、同時に、報知部９２に報知させてもよい。
【００７６】
さらに、車両制御部７は、操作部５１が運転者から受けつけた操作の情報を取得する。車両制御部７は、第１の挙動と第２の挙動を報知してから、第２の所定時間内に操作部５１が操作を受けつけたか否かを判定する。この操作は、例えば、第２の挙動に含まれる挙動の中から１つの挙動を選択する操作である。
【００７７】
車両制御部７は、第２の所定時間内に操作部５１が操作を受けつけなかった場合、第１の挙動を実行するように車両を制御し、車両制御結果に対応してブレーキペダル２、アクセルペダル３、ウィンカーレバー４を制御する。
【００７８】
車両制御部７は、第２の所定時間内に操作部５１が操作を受けつけた場合、受けつけた操作に対応する制御を行う。
【００７９】
情報報知装置９は、車両制御部７から車両１の走行に関する種々の情報を取得し、取得した情報を報知する。情報報知装置９は、情報取得部９１と報知部９２とを有する。
【００８０】
情報取得部９１は、車両制御部７から車両１の走行に関する種々の情報を取得する。例えば、情報取得部９１は、車両制御部７が車両１の挙動を更新する可能性があると判定した場合に、車両制御部７から第１の挙動の情報と第２の挙動の情報を取得する。
【００８１】
そして、情報取得部９１は、取得した情報を図示しない記憶部に一時的に記憶し、必要に応じて記憶した情報を記憶部から読み出して報知部９２へ出力する。
【００８２】
報知部９２は、車両１の走行に関する情報を運転者に報知する。報知部９２は、例えば、車内に設置されているカーナビゲーションシステム、ヘッドアップディスプレイ、センターディスプレイ、ハンドル５やピラーに設置されているＬＥＤなどの発光体などのような情報を表示する表示部であってもよいし、情報を音声に変換して運転者に報知するスピーカであってもよいし、あるいは、運転者が感知できる位置（例えば、運転者の座席、ハンドル５など）に設けられる振動体であってもよい。また、報知部９２は、これらの組み合わせであってもよい。
【００８３】
以下の説明では、報知部９２が表示装置であるものとする。
【００８４】
この場合、報知部９２とは、例えば、ヘッドアップディスプレイ（Head Up Display：ＨＵＤ）、ＬＣＤ（Liquid Crystal Display）、ＨＭＤ（Head-Mounted DisplayまたはHelmet-Mounted Display）、眼鏡型ディスプレイ（Smart Glasses）、その他の専用のディスプレイなどである。ＨＵＤは、例えば、車両１のウインドシールドであってもよいし、別途設けられるガラス面、プラスチック面（例えば、コンバイナ）などであってもよい。また、ウインドシールドは、例えば、フロントガラスであってもよいし、車両１のサイドガラスまたはリアガラスであってもよい。
【００８５】
さらに、ＨＵＤは、ウインドシールドの表面または内側に備えられた透過型ディスプレイであってもよい。ここで、透過型ディスプレイとは、例えば、透過型の有機ＥＬディスプレイ、または、特定の波長の光を照射した際に発光するガラスを用いた透明なディスプレイである。運転者は、背景を視認すると同時に、透過型ディスプレイ上の表示を視認することができる。このように報知部９２は、光を透過する表示媒体であってもよい。いずれの場合も、画像が報知部９２に表示される。
【００８６】
報知部９２は、車両制御部７から情報取得部９１を介して取得した走行に関する情報を運転者に報知する。例えば、報知部９２は、車両制御部７から取得した第１の挙動、及び、第２の挙動の情報を運転者に報知する。
【００８７】
ここで、具体的な表示内容、及び、操作部５１に対してなされる操作について説明する。
【００８８】
図２は、走行環境の第１の例と、それに対する報知部９２の表示、及び、操作部５１の操作について説明する図である。
【００８９】
図２の（ａ）は、車両１の走行環境を示す俯瞰図である。具体的には、図２の（ａ）は、車両１が走行する車線の前方に合流路があり、車線の左方から合流する車両が存在し、かつ、車両１が走行する車線の右方への車線変更が可能な走行環境であることを示している。
【００９０】
車両制御部７は、走行状態および周囲の状況の情報に基づき、走行環境が、図２の（ａ）に示すような走行環境であると判定する。なお、車両制御部７は、図２の（ａ）に示す俯瞰図を生成し、第１の挙動、及び、第２の挙動の情報に加えて、生成した俯瞰図を報知部９２に報知させてもよい。
【００９１】
図２の（ｂ）は、図２の（ａ）に示した走行環境に対する報知部９２の表示の一例を示している。報知部９２の表示範囲のうち、右側には、車両１の挙動に関わる選択肢が表示され、左側には、手動運転に切り替えるための情報が表示される。
【００９２】
第１の挙動は、表示領域２９ａ〜２９ｃ、２９ｇのうち、強調されている表示領域２９ｂに示されている「車線変更」である。第２の挙動は、表示領域２９ａ、２９ｃにそれぞれ示されている「加速」、「減速」である。また、表示領域２９ｇには、手動運転に切替えることを示す「自動運転終了」が表示されている。
【００９３】
図２の（ｃ）は、ハンドル５に設けられる操作部５１の一例を示している。操作部５１は、ハンドル５の右側に設けられる操作ボタン５１ａ〜５１ｄと、ハンドル５の左側に設けられる操作ボタン５１ｅ〜５１ｈとを有する。なお、ハンドル５に設けられる操作部５１の数や形状等はこれらに限定されない。
【００９４】
本実施の形態では、図２の（ｂ）に示す表示領域２９ａ〜２９ｃと操作ボタン５１ａ〜５１ｃがそれぞれ対応し、表示領域２９ｇと操作ボタン５１ｇとが対応する。
【００９５】
この構成において、運転者は、各表示領域に表示される内容のいずれかを選択する際に、各表示領域に対応する操作ボタンを押下する。例えば、運転者が表示領域２９ａに表示される「加速」という挙動を選択する場合、運転者は、操作ボタン５１ａを押下する。
【００９６】
なお、図２の（ｂ）には、各表示領域に文字の情報のみが表示されているが、次に説明するように、車両の駆動に関する記号やアイコンを表示してもよい。これにより、運転者に表示内容を一目瞭然に把握できる。
【００９７】
図３は、報知部９２における表示の別の例を示す図である。図３に示すように、表示領域３９ａ〜３９ｃ、３９ｇに文字の情報とその情報を示す記号の両方が表示される。なお、記号のみが表示されてもよい。
【００９８】
次に、具体的な走行環境を例に挙げて、表示制御の流れについて説明する。
【００９９】
図４は、本実施の形態における情報報知処理の処理手順を示すフローチャートである。図５は、走行環境の第１の例と、それに対する表示制御を示す図である。
【０１００】
図４に示すように、検出部６は、車両の走行状態を検出する（ステップＳ１１）。次に、検出部６は、車両の周囲の状況を検出する（ステップＳ１２）。検出された車両の走行状態、及び、車両の周囲の状況の情報は、検出部６により車両制御部７へ出力される。
【０１０１】
つぎに、車両制御部７は、走行状態および周囲の状況の情報に基づいて、現時点の走行環境を判定する（ステップＳ１３）。図５の（ａ）の例の場合、車両制御部７は、現時点の走行環境が、「車両１が走行する車線の前方に合流路があり、車線の左方から合流する車両が存在し、かつ、車両１が走行する車線の右方への車線変更が可能な走行環境」であると判定する。
【０１０２】
その後、車両制御部７は、判定した走行環境の情報を情報報知装置９の報知部９２に報知させる（ステップＳ１４）。図５の（ｂ）の例の場合、車両制御部７は、判定した走行環境の情報を情報取得部９１へ出力する。報知部９２は、情報取得部９１から走行環境の情報を取得し、文字情報５９として表示させる。なお、車両制御部７は、走行環境の情報を報知部９２に表示させる代わりに、スピーカ等で音声として走行環境の情報を運転者に報知してもよい。これにより、運転者がディスプレイやモニターを見ていない、もしくは見落としている場合でも、運転者に確実に情報を伝達できる。
【０１０３】
次に、車両制御部７は、判定した走行環境が挙動の更新の可能性があるとするか否かを判定し、更新する可能性があるとすると判定された場合、さらに第１の挙動、及び、第２の挙動の判定を行う（ステップＳ１５）。走行環境が挙動の更新の可能性があるとするか否かの判定は、走行環境が変更したか否かによって判定される。更新後実施する挙動とは、例えば、他の車両等と衝突が発生する可能性がある場合に減速する、ＡＣＣ（Adaptive Cruise Control）において先行車両が消えた場合に速度変更する、隣の車線が空いた場合に車線変更するなどが考えられる。更新するか否かを判定するときは従来技術を用いてなされる。
【０１０４】
この場合、車両制御部７は、判定した走行環境に対して、車両１が次に（第１の所定時間経過後に）とり得る挙動の候補を記憶部８から読み出す。そして、車両制御部７は、挙動の候補から、現在の走行環境に最も適した挙動がどれかを判定し、現在の走行環境に最も適した挙動を第１の挙動に設定する。そして、車両制御部７は、第１の挙動を除く挙動の候補を第２の挙動に設定する。
【０１０５】
図５の（ｂ）の例の場合、車両制御部７は、記憶部８から、車両１の加速、車両１の減速、及び車両１の右方への車線変更の３通りの挙動の候補を読み出す。そして、車両制御部７は、左方から合流する車両の速度、及び、車両１の右方の車線の状況に基づき、車両１の右方への車線変更が最も適した挙動であると判定し、その挙動を第１の挙動に設定する。そして、車両制御部７は、第１の挙動を除く挙動の候補を第２の挙動に設定する。
【０１０６】
次に、車両制御部７は、第１の挙動、及び、第２の挙動を情報報知装置９の報知部９２に報知させる（ステップＳ１６）。図５の（ｂ）の例の場合、報知部９２は、第１の挙動の情報である「車線変更」という文字情報を表示領域５９ｂに強調して表示し、第２の挙動の情報である「加速」、「減速」をそれぞれ表示領域５９ａ、５９ｃに表示させる。
【０１０７】
次に、車両制御部７は、第２の所定時間内に操作部５１が運転者からの操作を受けつけたか否かを判定する（ステップＳ１７）。
【０１０８】
例えば、車両制御部７は、現時点での走行環境が図５の（ａ）に示す走行環境であると判定してから、合流ポイントに到達するまでの時間を第１の所定時間と設定する。そして、車両制御部７は、第１の所定時間よりも短い第２の所定時間を、合流ポイントまでに実行される次の挙動に対する操作の受付が可能な時間として設定する。
【０１０９】
車両制御部７は、第２の所定時間内に操作部５１が運転者からの操作を受けつけた場合（ステップＳ１７においてＹＥＳ）、受けつけた操作が自動運転終了の操作か、挙動の選択操作（いわゆる更新）かを判定する（ステップＳ１８）。
【０１１０】
図２にて説明したように、報知部９２の各表示領域と操作部５１の各操作ボタンとは対応している。運転者は、図５の（ｂ）における自動運転終了を選択する場合、図２の（ｃ）に示した操作ボタン５１ｇを押下する。また、運転者は、挙動の選択を行う場合、図２の（ｃ）に示した操作ボタン５１ａ〜５１ｃのいずれかを押下する。
【０１１１】
車両制御部７は、操作部５１が受けつけた操作が自動運転終了の操作である場合（つまり、操作ボタン５１ｇが押下されたことを検知した場合）、自動運転を終了させる（ステップＳ１９）。車両制御部７は、操作部５１が受けつけた操作が挙動の選択操作である場合（つまり、操作ボタン５１ａ〜５１ｃのいずれかが押下された場合）、押下された操作ボタンに対応する挙動を実行するように、車両１の制御を行う（ステップＳ２０）。
【０１１２】
車両制御部７は、第２の所定時間内に操作部５１が運転者からの操作を受けつけなかった場合（ステップＳ１７においてＮＯ）、第１の挙動を実行するように、車両１の制御を行う（ステップＳ２１）。
【０１１３】
図６は、走行環境の第１の例と、それに対する別の表示制御を示す図である。図６の（ａ）は、図５の（ａ）と同様であるが、図６の（ｂ）の表示制御が図５の（ｂ）の表示制御とは異なっている。
【０１１４】
図５の（ｂ）を用いて説明した場合と同様に、車両制御部７は、図６の（ａ）に示した走行環境に対して、記憶部８から、車両１の加速、車両１の減速、及び車両１の右方への車線変更の３通りの挙動の候補を読み出す。その際、記憶部８には、車両１の右方への車線変更が最も優先される挙動として記憶されているものとする。
【０１１５】
この場合、車両制御部７は、走行環境の情報と、第１の挙動の情報とを報知部９２に報知させる。図６の（ｂ）の場合、車両制御部７は、走行環境の情報と、第１の挙動の情報を示す文字情報６９を生成し、報知部９２に文字情報６９を表示させる。
【０１１６】
そして、車両制御部７は、運転者に第１の挙動の採否を促す表示を表示領域６９ａ、６９ｃに表示させる。また、車両制御部７は、手動運転に切り替え可能であることを示す「自動運転終了」という表示を表示領域６９ｇに表示させる。
【０１１７】
ここで、車両制御部７は、第１の挙動を採用することに対応する「ＹＥＳ」を強調して表示する。「ＹＥＳ」、「ＮＯ」のどちらを強調して表示するかは、予め定められていてもよいし、前回選択された選択肢を強調して表示することとしてもよいし、過去に選択された回数を記憶部８に記憶しておき、回数が多い方を報知部９２が強調して表示することとしてもよい。
【０１１８】
このように過去に選択された挙動を学習することにより、車両制御部７は、運転者に適切に情報を報知できる。また、図５の（ｂ）の場合よりも報知部９２に報知させる表示を減らすことができ、運転者の煩わしさを低減できる。
【０１１９】
図７は、走行環境の第２の例と、それに対する表示制御を示す図である。図７の（ａ）は、走行環境を示す俯瞰図である。図７の（ａ）に示す走行環境は、前方に合流路がある点で図５の（ａ）、図６の（ａ）と同様であるが、車両１の右側に走行車両が存在する点で図５の（ａ）、図６の（ａ）と異なる。このような場合、車両制御部７は、車線変更が行えないと判断する。
【０１２０】
そして、車両制御部７は、車両１の走行環境が図７の（ａ）のようなものと判定した場合、図７の（ｂ）に示すように、判定した走行環境の情報を報知部９２に文字情報７９として表示させる。
【０１２１】
さらに、車両制御部７は、記憶部８から読み出した車両１の加速、車両１の減速、及び、車両１の右方への車線変更の３通りの挙動の候補のうち、車両１の右方への車線変更はできないため、車両１の加速、及び、車両１の減速のみを選択する。
【０１２２】
また、車両制御部７は、このままの速度で進むと合流車両と接近しすぎることを予測し、車両１の減速が最も適した挙動である、つまり、第１の挙動であると判定する。
【０１２３】
ここで、３通りの挙動の候補のうち、最も適した挙動がどれかは、走行状態および周囲の状況の情報に基づいて最も適した挙動を判定する従来技術を用いて判定される。また、最も適した挙動がどれかは、予め定められていてもよいし、前回選択された挙動の情報を記憶部８に記憶しておき、その挙動を最も適した挙動と判定してもよいし、過去に各挙動が選択された回数を記憶部８に記憶しておき、回数が最も多い挙動を最も適した挙動と判定してもよい。
【０１２４】
その後、車両制御部７は、「減速」を第１の挙動として表示領域７９ｃに表示させ、「加速」を第２の挙動として表示領域７９ａに表示させる。また、車両制御部７は、手動運転に切替えることを示す「自動運転終了」という表示を表示領域７９ｇに表示させる。
【０１２５】
このような表示制御により、車両制御部７は、走行環境に応じて、その走行環境に最も適した挙動を第１の挙動として運転者に報知できる。
【０１２６】
第１の挙動の情報を上方に、第２の挙動の情報を下方に配置し、それぞれ操作ボタン５１ａ、５１ｃに選択機能を割り当ててもよいし、加速挙動の情報を上方に、減速挙動の情報を下方に、右車線変更の挙動の情報を右方に、左車線変更の挙動の情報を左方へ配置し、それぞれ操作ボタン５１ａ、５１ｃ、５１ｂ、５１ｄに選択機能を割り当ててもよいし、それらを切り替えられるようにし、別途行動優先配置か、操作優先配置かを表示してもよい。さらに、第１の挙動の情報の表示サイズを大きく、第２の挙動の情報の表示サイズを小さくしてもよい。なお、車の前後・左右の挙動と対応して挙動情報の表示を配置することにより、運転者に直感的な認識と操作が可能である。
【０１２７】
次に、前方に合流路があるという走行環境以外の走行環境の例について説明する。
【０１２８】
図８は、走行環境の第３の例と、それに対する表示制御を示す図である。図８の（ａ）は、車両１の走行環境を示す俯瞰図である。具体的には、図８の（ａ）には、先行車両が車両１よりも遅い速度で走行し、かつ、隣の車線への車線変更が可能な走行環境が示されている。
【０１２９】
車両制御部７は、走行状態および周囲の状況の情報に基づき、走行環境が、図８の（ａ）に示すような走行環境であると判定する。この場合、車両制御部７は、判定した走行環境の情報を報知部９２に文字情報８９として表示させる。
【０１３０】
また、車両制御部７は、判定した走行環境に対応する挙動の候補として、先行車両を追い越す走行、隣の車線へ車線変更を行う走行、車両１を減速させて先行車両を追従する走行の３通りの挙動の候補を記憶部８から読み出す。
【０１３１】
そして、車両制御部７は、例えば、先行車両の減速後の速度が所定値より高く許容できることから、車両１を減速させて先行車両を追従する走行が最も適した挙動、つまり、第１の挙動であると判定する。
【０１３２】
ここで、３通りの挙動の候補のうち、最も適した挙動がどれかは、走行状態および周囲の状況の情報に基づいて最も適した挙動を判定する従来技術を用いて判定される。また、最も適した挙動がどれかは、予め定められていてもよいし、前回選択された挙動の情報を記憶部８に記憶しておき、その挙動を最も適した挙動と判定してもよいし、過去に各挙動が選択された回数を記憶部８に記憶しておき、回数が最も多い挙動を最も適した挙動と判定してもよい。
【０１３３】
さらに、車両制御部７は、図８の（ｂ）に示すように、第１の挙動を示す「追従」という文字情報を表示領域８９ｃに強調して表示し、第２の挙動を示す「追い越し」、「車線変更」という文字情報をそれぞれ表示領域８９ａ、８９ｂに表示させる。また、車両制御部７は、手動運転に切替えることを示す「自動運転終了」という表示を表示領域８９ｇに表示させる。
【０１３４】
第１の挙動の情報を上方に、第２の挙動の情報を下方に配置し、それぞれ操作ボタン５１ａ、５１ｃに選択機能を割り当ててもよいし、追い越し挙動の情報を上方に、追従挙動の情報を下方に、右車線変更の挙動の情報を右方に、左車線変更の挙動の情報を左方へ配置し、それぞれ操作ボタン５１ａ、５１ｃ、５１ｂ、５１ｄに選択機能を割り当ててもよいし、それらを切り替えられるようにし、別途行動優先配置か、操作優先配置かを表示してもよい。さらに、第１の挙動の情報の表示サイズを大きく、第２の挙動の情報の表示サイズを小さくしてもよい。
【０１３５】
図９は、走行環境の第４の例と、それに対する表示制御を示す図である。図９の（ａ）は、車両１の走行環境を示す俯瞰図である。具体的には、図９の（ａ）は、走行環境が、車両１と同一車線の前方において、車線が減少する走行環境であることを示している。
【０１３６】
車両制御部７は、走行状態および周囲の状況の情報に基づき、走行環境が、図９の（ａ）に示すような走行環境であると判定する。この場合、車両制御部７は、判定した走行環境の情報を報知部９２に文字情報９９として表示させる。
【０１３７】
また、車両制御部７は、判定した走行環境に対応する挙動の候補として、隣の車線へ車線変更を行う走行、そのまま現車線を維持する走行の２通りの挙動の候補を記憶部８から読み出す。
【０１３８】
そして、車両制御部７は、例えば、車線減少箇所までのＴＴＣが所定値より短いため、隣の車線へ車線変更を行う走行が最も適した挙動である、つまり、第１の挙動であると判定する。
【０１３９】
ここで、２通りの挙動の候補のうち、最も適した挙動がどれかは、走行状態および周囲の状況の情報に基づいて最も適した挙動を判定する従来技術を用いて判定される。また、最も適した挙動がどれかは、予め定められていてもよいし、前回選択された挙動の情報を記憶部８に記憶しておき、その挙動を最も適した挙動と判定してもよいし、過去に各挙動が選択された回数を記憶部８に記憶しておき、回数が最も多い挙動を最も適した挙動と判定してもよい。
【０１４０】
さらに、車両制御部７は、図９の（ｂ）に示すように、第１の挙動を示す「車線変更」という文字情報を表示領域９９ｂに強調して表示し、第２の挙動を示す「そのまま」という文字情報を表示領域９９ｃに表示させる。また、車両制御部７は、手動運転に切替えることを示す「自動運転終了」という表示を表示領域９９ｇに表示させる。
【０１４１】
第１の挙動の情報を上方に、第２の挙動の情報を下方に配置し、それぞれ操作ボタン５１ａ、５１ｃに選択機能を割り当ててもよいし、何もしない挙動の情報を下方に、右車線変更の挙動の情報を右方に、左車線変更の挙動の情報を左方へ配置し、それぞれ操作ボタン５１ｃ、５１ｂ、５１ｄに選択機能を割り当ててもよいし、それらを切り替えられるようにし、別途行動優先配置か、操作優先配置かを表示してもよい。さらに、第１の挙動の情報の表示サイズを大きく、第２の挙動の情報の表示サイズを小さくしてもよい。なお、図７、図８、図９に示されているように、異なる走行環境によって、表示領域にはそれぞれ異なる機能が割り当てられることで、少ない領域で情報報知や操作することができる。
【０１４２】
上記の説明では、車両制御部７が、走行環境および周囲の状況の情報に応じて、報知部９２に挙動を報知させる場合について説明したが、本発明はこれに限定されない。例えば、運転者による所定の操作があったときに、報知部９２に挙動を報知させることとしてもよい。
【０１４３】
図１０は、走行環境の第５の例と、それに対する表示制御を示す図である。図１０の（ａ）は、車両１の走行環境を示す俯瞰図である。具体的には、図１０の（ａ）には、車両１が左方と右方にそれぞれ車線変更可能な走行環境であることを示す走行環境が示されている。
【０１４４】
図１０の（ａ）に示す走行環境は、図５の（ａ）〜図９の（ａ）の場合と異なり、車線の変更や車両の加速、減速が不要な通常走行が可能な走行環境である。この場合、車両制御部７は、図１０の（ｂ）の表示１０９に示すように、走行環境の情報を報知部９２に文字情報として表示させなくともよい。
【０１４５】
このように報知部９２に文字情報が表示されていない状況において、運転者が操作部５１のいずれかの操作ボタンを押下した場合、車両制御部７は、通常走行における挙動の候補を記憶部８から読み出す。
【０１４６】
具体的には、記憶部８には、図１０の（ａ）に示すような通常走行の走行環境に対応付けて、車両１の加速、車両１の減速、車両１の右方への車線変更、車両１の左方への車線変更の４通りの挙動の候補が記憶されている。車両制御部７は、これらを読み出し、報知部９２の表示領域１０９ａ〜１０９ｄにそれぞれ表示させる。
【０１４７】
また、車両制御部７は、手動運転に切り替えることを示す「自動運転終了」という表示を表示領域９９ｇに表示させるとともに、挙動の更新をキャンセルすることを示す「キャンセル」という表示を表示領域１０９ｅに強調して表示させる。
【０１４８】
以上説明した本実施の形態によれば、運転者に次に実施される挙動の候補を効果的に報知し、運転者により好ましい挙動を選択させることができる。
【０１４９】
なお、運転者が実施したい挙動を選択する代わりに、直接ハンドルなどの手動操作をしてもよい。これにより、運転者が自分の意思により素早く手動運転操作に切り替えられる。
【０１５０】
［変形例］
以上説明した本実施の形態では、報知部９２における表示は、文字情報であるとして説明したが、本発明はこれに限定されない。例えば、挙動を示す記号を用いて運転者に視覚的に表示させてもより。以下では、運転者に視覚的に表示させる記号を用いた表示を図５および図７に対する表示を例にとって説明する。
【０１５１】
図１１は、図５に示した走行環境の第１の例に対する別の表示制御を示す図である。この例では、上述した第１の挙動が車両１の右方への車線変更であり、第２の挙動が車両１の加速、及び、車両１の減速である。
【０１５２】
この場合、第１の挙動である「車線変更」を示す記号１１１が中央に大きく表示され、第２の挙動である「車両１の加速」を示す記号１１２、及び、「車両１の減速」を示す記号１１３が右方に小さく表示される。また、自動運転終了を示す記号１１４が左方に小さく表示される。
【０１５３】
そして、このまま運転手により車両１の挙動の変更指示を受けつけなければ、車線変更が行われる。
【０１５４】
図１２は、図７に示した走行環境の第２の例に対する別の表示制御を示す図である。この例では、上記第１の例と異なり、車両１の右方に別の車両が走行しているため、車線変更ができない。そのため、例えば、「車両１の減速」が第１の挙動に設定され、「車両１の加速」が第２の挙動に設定される。
【０１５５】
そして、この場合、図１２の（ａ）に示すように、第１の挙動である「車両１の減速」を示す記号１２１が中央に大きく表示され、第２の挙動である「車両１の加速」を示す記号１２２が右方に小さく表示される。また、自動運転終了を示す記号１２３が左方に小さく表示される。
【０１５６】
ここで、操作部５１が運転手から「車両１の加速」を選択する操作を受けつけたものとする。この場合、図１２の（ｂ）に示すように、第１の挙動である「車両１の加速」を示す記号１２２’が中央に大きく表示され、第２の挙動である「車両１の減速」を示す記号１２１’が右方に小さく表示されることになる。
【０１５７】
以上説明した本実施の形態によれば、運転者に次に実施される挙動の候補を効果的に報知し、運転者により好ましい挙動を選択させることができる。一方、運転者は、車両が実施する挙動や他に選択可能な挙動を把握でき、安心感を持って自動運転を継続することできる。または、運転者がスムーズに車へ指示を与えることができる。
【０１５８】
また、本実施の形態によれば、走行環境に応じて、報知部に報知させる選択肢、つまり、第２の挙動を可変にすることができる。
【０１５９】
（実施の形態２）
実施の形態１では、ハンドル５に設けられた操作部５１によって、報知部９２の表示に応じた操作を行う構成について説明した。本実施の形態では、ハンドル５に設けられる操作部５１の代わりに、タッチパネルが設けられる構成について説明する。
【０１６０】
図１３は、本発明の実施の形態２に係る情報報知装置を含む車両１の要部構成を示すブロック図である。なお、図１３において、図１と共通する構成には図１と同一の符号を付し、その詳しい説明を省略する。図１３に示す車両１には、ハンドル５の操作部５１の代わりにタッチパネル１０が設けられている。
【０１６１】
タッチパネル１０は、情報の表示と入力の受付が可能な液晶パネル等からなる装置であり、車両制御部７と接続される。タッチパネル１０は、車両制御部７による制御に基づいて情報を表示する表示部１０１と、運転者等からの操作を受けつけ、受けつけた操作を車両制御部７へ出力する入力部１０２とを有する。
【０１６２】
次に、タッチパネル１０の表示制御について説明する。ここでは、車両１が３車線の中央を走行中であり、右方の車線と左方の車線のいずれかに車線変更が可能である場合の表示制御について説明する。
【０１６３】
図１４は、実施の形態２におけるタッチパネル１０の表示を説明する図である。図１４の（ａ）は、タッチパネル１０の表示部１０１の初期表示である。車両制御部７は、車両１が右方の車線と左方の車線のいずれかに車線変更が可能であると判定した場合、タッチパネル１０の表示部１０１に図１４の（ａ）のような表示を実行させる。ここで、表示領域１２１における「Ｔｏｕｃｈ」という表示は、タッチパネル１０が運転者によるタッチ操作を受けつけ可能なモードであることを示している。
【０１６４】
運転者は、図１４の（ａ）に示す表示において、表示領域１２１をタッチするタッチ操作を行う場合、入力部１０２は、この操作を受けつけて、この操作が行われたことを示す情報を車両制御部７へ出力する。車両制御部７は、この情報を受けつけると、図１４の（ｂ）に示す表示を表示部１０１に表示させ、また、図１４の（ｃ）に示す表示を報知部９２に表示させる。
【０１６５】
図１４の（ｂ）には、車両１へ移動を指示する操作であることを示す「Ｍｏｖｅ」と表示された表示領域１２１ａが示されている。また、図１４の（ｂ）には、車両１が３車線のそれぞれを走行可能であることを示す表示領域１２１ｂ〜１２１ｄが示されている。なお、表示領域１２１ｂ〜１２１ｄは、それぞれ、図１４の（ｃ）に矢印Ｘ、Ｙ、Ｚで示される車線での走行と対応する。
【０１６６】
また、図１４の（ｂ）の各表示領域と、図１４の（ｃ）の各矢印とは、それぞれ、態様（例えば、色や配置など）を一致させる。これにより、運転者により理解しやすい表示となる。
【０１６７】
さらに、矢印Ｘ、Ｙ、Ｚで示される車線の太さなどを変えて、車両制御が判定した車両が実施する挙動と他に運転者が選択可能な挙動が区別できるように表示してもよい。
【０１６８】
運転者は、表示領域１２１ｂ〜１２１ｄのうち、走行したい車線に対応する表示領域に触れることによって、車両１の挙動の選択を行う。この場合、入力部１０２は、運転者の挙動の選択操作を受けつけて、選択された挙動の情報を車両制御部７へ出力する。そして、車両制御部７は、選択された挙動を実行するよう車両１を制御する。これにより、運転者が走行したい車線を車両１が走行することになる。
【０１６９】
なお、運転者は、タッチパネル１０に対して、タッチ操作の代わりに、スワイプ操作を行ってもよい。例えば、図１４に示す例において、運転者が図１４の（ｃ）の矢印Ｘで示される車線への変更を行いたい場合、運転者は、タッチパネル１０において右方へのスワイプ操作を行う。
【０１７０】
この場合、入力部１０２は、スワイプ操作を受けつけ、スワイプ操作の内容を示す情報を車両制御部７へ出力する。そして、車両制御部７は、選択された挙動である矢印Ｘで示される車線への車線変更を実行するよう車両１を制御する。
【０１７１】
さらに、車両１へ移動を指示する操作であることを示す「Ｍｏｖｅ」と表示された表示領域１２１ａが示されるときに、音声で「挙動選択」などと発話してもよい。これにより、手元のタッチパネルを見ることなく、ＨＵＤの表示のみで操作が可能となる。
【０１７２】
また、タッチ操作やスワイプ操作の際に、選択したタッチパネルの表示領域に対応する車線の表示態様を変更し、どの車線を選択しようとしているのか選択前に確認できるようにしてもよい。例えば、表示領域ｂをタッチした瞬間に、車線Ｘの太さが拡大し、すぐに手を離せば車線Ｘは選択されず車線Ｘの太さが元の大きさに戻り、表示領域１２１ｃにタッチを移動した瞬間に、車線Ｙの太さが拡大し、しばらくその状態を保持すると、車線Ｙが選択され、車線Ｙが点滅することで決定されたことを伝えても良い。これにより、手元を目視せずに選択や決定の操作ができる。
【０１７３】
なお、実施の形態１と同様に、加速、減速、追越し、そのままなどの車両制御機能を、走行環境に応じて、表示領域に割り当てても良い。
【０１７４】
以上説明した本実施の形態によれば、操作部の代わりにタッチパネルを設けることにより、運転者に直感的な操作を行わせることができる。また、タッチパネルは、操作を受けつける表示領域の数、形状、色などを自由に変更させることができるため、ユーザインターフェースの自由度が向上する。
【０１７５】
（実施の形態３）
実施の形態１では、第１の挙動と第２の挙動が同時に表示される場合について説明した。本実施の形態では、まず、報知部９２に第１の挙動が表示され、運転者の操作を受けつけた場合に、第２の挙動が表示される構成について説明する。
【０１７６】
本実施の形態に係る構成は、実施の形態１で説明した図１の構成において、操作部５１に運転者がハンドル５を握ったか否かを検出するグリップセンサがさらに含まれた構成となる。
【０１７７】
図１５は、本発明の実施の形態３における報知部９２の表示を説明する図である。図１５には、図８の（ａ）に示した場合と同様に、車両１と同一車線の前方を走行する車両が車両１よりも遅い速度で走行し、かつ、隣の車線への車線変更が可能な走行環境における表示の例が示されている。
【０１７８】
車両制御部７は、走行環境が、図８の（ａ）に示した走行環境であると判定すると、まず、報知部９２に図１５の（ａ）に示す表示を実行させる。
【０１７９】
図１５の（ａ）には、第１の所定時間が経過した後に実施される挙動の候補うち、第１の挙動である「追い越し」を示す記号１３１が第１の態様（例えば、第１の色）で示されている。
【０１８０】
車両制御部７は、図１５の（ａ）に示す表示を報知部９２に実行させた後、第２の所定時間が経過した場合、記号１３１を第１の態様から、第１の態様とは異なる第２の態様（例えば、第１の色とは異なる第２の色）で報知部９２に表示させる。ここで、第２の所定時間は、実施の形態１で説明した第２の所定時間と同様のものである。
【０１８１】
つまり、記号１３１が第１の態様で示されている間、運転者は、第２の挙動の選択が可能であるが、記号１３１が第２の態様に変更された場合、運転者は、第２の挙動の選択が不可能になる。
【０１８２】
また、図１５の（ａ）には、第２の挙動が選択可能であることを示すハンドル形状の記号１３２が示されている。記号１３２が表示されている場合に運転者がハンドル５を握ることによって、第２の挙動が表示される。記号１３２は、第２の挙動が選択可能であることを示す表示であるが、記号１３１が第１の態様にて表示されることによって、運転者に第２の挙動が選択可能であることを示すこととしてもよい。この場合、記号１３２は、表示されなくてもよい。
【０１８３】
また、図１５の（ａ）には、現在、自動運転中であることを示す記号１３３が示されている。記号１３３は、自動運転で走行中であることを運転者に示す補助的な表示であるが、記号１３３は表示されなくてもよい。
【０１８４】
図１５の（ａ）の表示に対して運転者がハンドル５を握った場合、グリップセンサがそれを検出し、その検出結果の情報を車両制御部７へ出力する。この場合、車両制御部７は、図１５の（ｂ）に示す表示を報知部９２に実行させる。
【０１８５】
図１５の（ｂ）には、図１５の（ａ）と同様に、第１の挙動である「追い越し」を示す記号１３１が第１の態様（例えば、第１の色）で示されている。また、第２の挙動である「車線変更」を示す記号１３４と、第２の挙動である「減速」を示す記号１３５が示されている。
【０１８６】
運転者は、ハンドル５の操作部５１を操作することによって、第１の挙動から第２の挙動への変更を行う。例えば、運転者は、操作部５１の操作ボタン５１ａ、または、操作ボタン５１ｃ（図２の（ｃ）参照）を押下することによって、「車線変更」（記号１３４）、または、「減速」（記号１３５）への挙動の更新を行う。
【０１８７】
また、図１５の（ｂ）には、車両制御部７が、車両１の挙動を学習中であることを示す記号１３６が示されている。記号１３６が表示されている場合、車両制御部７は、運転者が選択した挙動を学習する。記号１３６は表示されなくても構わない。また、学習は常に行っていても構わない。
【０１８８】
つまり、車両制御部７は、運転者が選択した挙動を記憶部８に記憶し、次に同様の走行環境になった場合、記憶した挙動を第１の挙動として、報知部９２に表示させる。または、車両制御部７は、過去に各挙動が選択された回数を記憶部８に記憶しておき、回数が最も多い挙動を第１の挙動として、報知部９２に表示させてもよい。
【０１８９】
また、図１５の（ｂ）には、自動運転中ではないことを示す記号１３７が示されている。記号１３７が表示されている場合、車両制御部７は、第１の所定時間経過後に行う挙動が運転者によって選択されるまで待機する。
【０１９０】
図１５の（ｂ）に示す表示に対して、運転者が操作部５１の操作ボタン５１ａを押下して「車線変更」を選択した場合、車両制御部７は、この選択操作の情報を受けつけ、図１５の（ｃ）に示す表示を報知部９２に実行させる。
【０１９１】
図１５の（ｃ）には、「車線変更」を示す記号１３４’が、第１の態様で示されている。車両制御部７は、「車線変更」を選択する選択操作の情報を受けつけた場合、この選択された挙動が次に行う挙動であると判定し、「車線変更」を示す記号１３４’を第１の態様で報知部９２に表示させる。
【０１９２】
また、図１５の（ｃ）の記号１３１’は、図１５の（ｂ）において第１の挙動として表示されていた記号１３１が記号１３４と入れ替わって表示されたものである。
【０１９３】
また、図１５の（ｃ）に示す表示に対して、運転者が操作ボタンのいずれかを２度連続して押下した場合、運転者が前に行った選択操作をキャンセルできるようにしてもよい。この場合、車両制御部７は、操作ボタンのいずれかを２度連続して押下する操作の情報を受けつけ、図１５の（ｃ）に示す表示から図１５の（ｂ）に示す表示への変更を報知部９２に実行させる。
【０１９４】
車両制御部７は、図１５の（ａ）に示す表示を報知部９２に実行させてから、第２の所定時間が経過するまでの間に、運転者の操作に基づいて、図１５の（ｂ）、図１５の（ｃ）へと報知部９２の表示を変化させる。その後、車両制御部７は、図１５の（ａ）に示す表示を報知部９２に実行させてから第２の所定時間が経過した後に、図１５の（ｄ）に示す表示を報知部９２に表示させる。
【０１９５】
なお、車両制御部７は、運転者がハンドル５から手を離したこと示す情報をグリップセンサから取得した場合に、第２の所定時間が経過する前に図１５の（ｄ）に示す表示を報知部９２に表示させてもよい。
【０１９６】
ここで、図１５の（ｄ）には、次の挙動として、運転者が選択した「車線変更」を示す記号１３４’が第２の態様で表示され、また、自動運転で走行中であることを示す記号１３３が、再び、表示された状態が示されている。
【０１９７】
以上説明した本実施の形態によれば、車両制御部７は、運転者が次にとる挙動の更新したい場合にのみ、他の挙動の候補を確認できるように、報知部９２での表示を変更する。この構成により、運転者が視認する表示を減らすことができ、運転者の煩わしさを低減できる。
【０１９８】
（実施の形態４）
上述した実施の形態において、車両１が実行しうる複数の挙動の候補のうち最も適した挙動がどれかを判定する方法についていくつか説明した。本実施の形態では、最も適した挙動を判定する方法として、予め学習により構築されたドライバモデルを用いる場合について説明する。
【０１９９】
ここで、ドライバモデルの構築方法について説明する。ドライバモデルは、走行環境毎の運転者による操作の傾向を各操作の頻度の情報などに基づいてモデル化したものである。ドライバモデルは、複数の運転者の走行履歴を集約し、集約した走行履歴から構築される。
【０２００】
運転者の走行履歴は、例えば、各走行環境に対応する挙動の候補のうち、運転者が実際に選択した挙動の頻度が、挙動の候補毎に集約された履歴である。
【０２０１】
図１６は、走行履歴の一例を示す図である。図１６には、運転者ｘが「合流路が近づく」という走行環境において、「減速」、「加速」、「車線変更」という挙動の候補を、それぞれ、３回、１回、５回選択したことが示されている。また、図１６には、運転者Ｘが「前方に低速車あり」という走行環境において、「追従」、「追い越し」、「車線変更」という挙動の候補を、それぞれ、２回、２回、１回選択したことが示されている。運転者ｙについても同様である。
【０２０２】
運転者の走行履歴は、自動運転中に選択した挙動を集約してもよいし、運転者が手動運転中に実際に行った挙動を集約してもよい。これにより、自動運転や手動運転といった運転状態に応じた走行履歴の収集ができる。
【０２０３】
ドライバモデルには、複数のドライバの走行履歴をクラスタリングして構築するクラスタリング型と、特定の運転者（例えば、運転者ｘ）の走行履歴と類似する複数の走行履歴から運転者ｘのドライバモデルを構築する個別適応型とがある。
【０２０４】
まず、クラスタリング型について説明する。クラスタリング型のドライバモデルの構築方法は、図１６に示したような複数の運転者の走行履歴を予め集約する。そして、互いの走行履歴の類似度が高い複数の運転者、つまり、類似した運転操作傾向を有する複数の運転者をグループ化してドライバモデルを構築する。
【０２０５】
図１７は、クラスタリング型のドライバモデルの構築方法を示す図である。図１７には、運転者ａ〜ｆの走行履歴が表形式で示されている。そして、運転者ａ〜ｆの走行履歴から、モデルＡが運転者ａ〜ｃの走行履歴から構築され、モデルＢが運転者ｄ〜ｆの走行履歴から構築されることが示されている。
【０２０６】
走行履歴の類似度は、例えば、運転者ａと運転者ｂの走行履歴における各頻度（各数値）を頻度分布として扱い、互いの頻度分布の相関値を算出し、算出した相関値を類似度としてもよい。この場合、例えば、運転者ａと運転者ｂの走行履歴から算出した相関値が所定値よりも高い場合に、運転者ａと運転者ｂの走行履歴を１つのグループとする。
【０２０７】
なお、類似度の算出については、これに限定されない。例えば、運転者ａと運転者ｂの各走行履歴において、最も頻度の高い挙動が一致する数に基づいて、類似度を算出してもよい。
【０２０８】
そして、クラスタリング型のドライバモデルは、例えば、各グループ内の運転者の走行履歴において、それぞれの頻度の平均を算出することによって構築される。
【０２０９】
図１８は、構築されたクラスタリング型のドライバモデルの一例を示す図である。図１７で示した各グループ内の運転者の走行履歴において、それぞれの頻度の平均を算出することによって、各グループの走行履歴の平均頻度を導出する。このように、クラスタリング型のドライバモデルは、走行環境毎に定められた挙動に対する平均頻度で構築される。
【０２１０】
なお、ドライバモデルは、算出した平均頻度から最も頻度の高いもののみで構築してもよい。図１９は、構築されたクラスタリング型のドライバモデルの別の一例を示す図である。図１９に示すように、走行環境毎に最頻の挙動が選択され、選択された挙動からドライバモデルが構築される。
【０２１１】
ここで、構築したクラスタリング型のドライバモデルの使用方法について、例を挙げて説明する。
【０２１２】
図１８に示したようなドライバモデルは、予め車両１の記憶部８に記憶される。また、車両制御部７は、運転者ｙが過去に運転した際の走行履歴を記憶部８に記憶しておく。なお、運転者ｙの検知は、車内に設置されるカメラ等（図示しない）で実行される。
【０２１３】
そして、車両制御部７は、運転者ｙの走行履歴とドライバモデルの各モデルの走行履歴との類似度を算出し、どのモデルが運転者ｙに最も適しているかを判定する。例えば、図１６に示した運転者ｙの走行履歴と図１８に示したドライバモデルの場合、車両制御部７は、モデルＢが運転者ｙに最も適していると判定する。
【０２１４】
車両制御部７は、実際の自動走行の際に、モデルＢの各走行環境において、最も頻度が高い挙動が運転者ｙに最も適した挙動、つまり、第１の挙動であると判定する。
【０２１５】
このように、予め複数の運転者の走行履歴からドライバモデルを構築することにより、運転者により適した挙動を報知できる。
【０２１６】
例えば、図１６の示すように、運転者ｙの走行履歴に「前方に低速車あり」という走行環境に対する挙動の頻度が０、つまり、運転者が「前方に低速車あり」という走行環境において「追従」、「追い越し」、「車線変更」という挙動を選択したことが無い場合においても、車両制御部７は、図１８に示すモデルＢに基づき、「前方に低速車あり」という走行環境において、「追従」を第１の挙動として判定できる。
【０２１７】
次に、個別適応型について説明する。個別適応型のドライバモデルの構築方法は、クラスタリング型の場合と同様に、図１６に示したような複数の運転者の走行履歴を予め集約する。ここで、クラスタリング型の場合と異なる点は、運転者毎にドライバモデルを構築する点である。以下では、運転者ｙに対してドライバモデルを構築する例について説明する。
【０２１８】
まず、集約した複数の運転者の走行履歴の中から、運転者ｙの走行履歴と類似度が高い複数の運転者の走行履歴を抽出する。そして、抽出した複数の運転者の走行履歴から運転者ｙのドライバモデルを構築する。
【０２１９】
図２０は、個別適応型のドライバモデルの構築方法を示す図である。図２０には、図１７と同様に、運転者ａ〜ｆの走行履歴が表形式で示されている。また、図２０には、図１６に示した運転者ｙの走行履歴と類似度が高い運転者ｃ〜ｅの走行履歴とから運転者ｙのドライバモデルが構築されることが示されている。
【０２２０】
個別適応型のドライバモデルは、抽出した各運転者の走行履歴において、それぞれの頻度の平均を算出することによって構築される。
【０２２１】
図２１は、構築された個別適応型のドライバモデルの一例を示す図である。図１６に示した運転者ｙの走行履歴、及び、図２０に示した運転者ｃ〜ｅの走行履歴において、走行環境毎に、各挙動の平均頻度を導出する。このように、運転者ｙに対する個別適応型のドライバモデルは、各走行環境に対応する挙動の平均頻度で構築される。
【０２２２】
ここで、構築した個別適応型のドライバモデルの使用方法について、例を挙げて説明する。
【０２２３】
図２１に示したような運転者ｙのドライバモデルは、予め車両１の記憶部８に記憶される。また、車両制御部７は、運転者ｙが過去に運転した際の走行履歴を記憶部８に記憶しておく。なお、運転者ｙの検知は、車内に設置されるカメラ等（図示しない）で実行される。
【０２２４】
そして、車両制御部７は、実際の自動走行の際に、運転者ｙのドライバモデルの各走行環境において、最も頻度が高い挙動が運転者ｙに最も適した挙動、つまり、第１の挙動であると判定する。
【０２２５】
このように、予め複数の運転者の走行履歴から運転者個人のドライバモデルを構築することにより、運転者により適した挙動を報知できる。
【０２２６】
例えば、図１６の示すように、運転者ｙの走行履歴に「前方に低速車あり」という走行環境に対する挙動の頻度が０、つまり、運転者が「前方に低速車あり」という走行環境において「追従」、「追い越し」、「車線変更」という挙動を選択したことが無い場合においても、車両制御部７は、図２１に示すドライバモデルに基づき、「前方に低速車あり」という走行環境において、「車線変更」を第１の挙動として判定できる。
【０２２７】
次に、運転者の運転特性（運転の癖）を取得し、運転者の嗜好に応じた自動運転を行う場合について説明する。一般に、１つの挙動（例えば、車線変更）に対する実際の動作（例えば、加速、減速の大きさ、あるいは、ハンドルの操作量）は、運転者毎に異なる。そのため、運転者の嗜好に応じた自動運転を行うことにより、運転者にとってより快適な走行が可能となる。
【０２２８】
なお、以下の説明では、手動運転中に運転者の運転特性を取得し、取得した運転特性を自動運転の際に反映させる場合について説明するが、本発明はこれに限定されない。
【０２２９】
車両制御部７は、運転者の車両１の各部の操作内容から、運転者の運転特性を示す特徴量を抽出し、記憶部８に記憶する。ここで、特徴量とは、例えば、速度に関する特徴量、ステアリングに関する特徴量、操作タイミングに関する特徴量、車外センシングに関する特徴量、車内センシングに関する特徴量等がある。
【０２３０】
速度に関する特徴量は、例えば、車両の速度、加速度、減速度などがあり、これらの特徴量は、車両が有する速度センサ等から取得される。
【０２３１】
ステアリングに関する特徴量は、例えば、ステアリングの舵角、角速度、各加速度などがあり、これらの特徴量は、ハンドル５から取得される。
【０２３２】
操作タイミングに関する特徴量は、例えば、ブレーキ、アクセル、ウィンカーレバー、ハンドルの操作タイミングなどがあり、これらの特徴量は、それぞれ、ブレーキペダル２、アクセルペダル３、ウィンカーレバー４、ハンドル５から取得される。
【０２３３】
車外センシングに関する特徴量は、例えば、前方、側方、後方に存在する車両との車間距離などがあり、これらの特徴量は、センサ６２から取得される。
【０２３４】
車内センシングに関する特徴量は、例えば、運転者が誰であるか、及び、同乗者が誰であるかを示す個人認識情報であり、これらの特徴量は、車内に設置されるカメラ等から取得される。
【０２３５】
例えば、運転者が手動で車線変更を行う場合、車両制御部７は、運転者が手動で車線変更を行ったことを検知する。検知方法は、予め車線変更の操作時系列パターンをルール化しておくことにより、CAN情報などから取得した操作時系列データを解析することで検知する。その際、車両制御部７は、上述した特徴量を取得する。車両制御部７は、運転者毎に、特徴量を記憶部８に記憶し、運転特性モデルを構築する。
【０２３６】
なお、車両制御部７は、運転者毎の特徴量に基づき、上述したドライバモデルを構築してもよい。つまり、車両制御部７は、速度に関する特徴量、ステアリングに関する特徴量、操作タイミングに関する特徴量、車外センシングに関する特徴量、車内センシングに関する特徴量を抽出し、記憶部８に記憶する。そして、記憶部８に記憶した特徴量に基づいて、走行環境毎の運転者による操作の傾向と各操作の頻度の情報を対応づけたドライバモデルを構築してもよい。
【０２３７】
図２２は、運転特性モデルの一例を示す図である。図２２は、運転者毎に、特徴量が表形式で示されている。また、図２２には、運転者毎に、各挙動を過去に選択した回数が示されている。特徴量についても一部のみが記載されているが、上記に挙げたいずれか、またはその全てを記載してもよい。
【０２３８】
図２２に記載の特徴量について詳細を説明する。速度の数値は、実際の速度を段階的に示している数値である。ハンドル、ブレーキ、アクセルの数値は、操作量を段階的に示している数値である。これらの数値は、例えば、過去の所定の期間内の速度、ハンドル、ブレーキ、アクセルの操作量の平均値を算出し、その平均値を段階的に表すことによって得られる。
【０２３９】
例えば、図２２において、運転者ｘが同乗者がいない状態で車線変更を行う場合、速さのレベルは８であり、ハンドル、ブレーキ、アクセルの操作量のレベルはそれぞれ４、６、８である。
【０２４０】
自動運転の際は、車両制御部７は、運転者が誰か、どのような挙動が実行されるか、及び、同乗者が誰かに応じて、運転者、挙動、及び、同乗者に対応する運転特性モデルが図２２に示す運転特性モデルの中から選択する。
【０２４１】
そして、車両制御部７は、選択した運転特性モデルに対応する速度で車両１を走行させ、また、ハンドル、ブレーキ、アクセルの操作量およびそのタイミングの組み合わせで車両１を制御する。これにより、運転者の嗜好に応じた自動運転を行うことができる。なお、図２２に示すような運転特性モデルの情報は、報知部９２に報知させることができる。
【０２４２】
図２３は、本発明の実施の形態４における報知部９２の表示を説明する図である。図２３は、図５に示した走行環境の第１の例に対する表示である。
【０２４３】
図２３の（ａ）は、車線の変更や車両の加速、減速が不要な通常走行を行っている状態の報知部９２の表示である。図２３の（ａ）には、運転者の運転特性が「減速が多い」運転特性であることを示す記号２３１と、現在、自動運転中であることを示す記号２３２が示されている。
【０２４４】
車両制御部７は、例えば、図２２に示した運転特性モデルに含まれる各挙動を過去に選択した回数に基づいて、運転者の運転特性を判定する。この場合、車両制御部７は、例えば、運転特性から「減速」が多い（いわゆる「減速」という挙動を選択した回数が多い）運転者に対して、図２３のような記号２３１を含む表示を報知部９２に表示させる。
【０２４５】
そして、車両制御部７が、走行環境が図５に示した第１の例の走行環境であると判定した場合、車両制御部７は、運転者の運転特性が「減速が多い」運転特性であることに基づいて、第１の挙動を「減速」と判定し、図２３の（ｂ）の表示を報知部９２に実行させる。
【０２４６】
図２３の（ｂ）には、第１の挙動である「減速」を示す記号２３３が第１の態様（例えば、第１の色）で示されている。また、第２の挙動である「加速」を示す記号２３４と、第２の挙動である「車線変更」を示す記号２３５が示されている。
【０２４７】
運転者は、実施の形態１で説明したような操作により、「加速」への挙動の変更を行った場合、車両制御部７は、図２３の（ｃ）の表示を報知部９２に実行させる。
【０２４８】
図２３の（ｃ）には、選択された挙動である「加速」を示す記号２３４’が、第１の態様で示されている。また、記号２３３’は、図２３の（ｂ）において第１の挙動として表示されていた記号２３３が記号２３４と入れ替わって表示されたものである。
【０２４９】
その後、車両制御部７は、図２３の（ａ）に示す表示を報知部９２に実行させてから第２の所定時間が経過した後に、図２３の（ｄ）に示す表示を報知部９２に表示させる。ここで、図２３の（ｄ）には、次の挙動として、運転者が選択した「加速」を示す記号２３４’が第２の態様で表示される。
【０２５０】
車両制御部７は、次にとる挙動が「加速」と決定した場合、運転特性モデルに含まれる「加速」の挙動に対応する特徴量を読み出し、それらの特徴量を反映させた「加速」を行うように、車両１を制御する。
【０２５１】
図２４は、本発明の実施の形態４における報知部９２の表示を説明する図である。図２４は、図７に示した走行環境の第２の例に対する表示である。なお、図２４において、図２３と共通する構成には図２３と同一の符号を付し、その詳しい説明を省略する。図２４は、図２３から、「車線変更」を示す記号２３５が削除された図である。
【０２５２】
前述の通り、第２の例（図７）では、第１の例（図５）と異なり、車両１の右方に別の車両が走行しているため、車線変更ができない。そのため、図２４の（ｂ）、（ｃ）では、「車線変更」が表示されていない。また、図２４の（ｃ）の例では、図２３の（ｃ）の場合と同様に、「加速」が選択されたため、車両制御部７は、図２３と同様に、運転特性モデルに含まれる「加速」の挙動に対応する特徴量を読み出し、それらの特徴量を反映させた「加速」を行うように、車両１を制御する。
【０２５３】
図２５は、本発明の実施の形態４における報知部９２の表示を説明する図である。図２５は、図８に示した走行環境の第３の例に対する表示である。
【０２５４】
図２５の（ａ）は、図２３の（ａ）と同様である。車両制御部７が図８に示した第３の例の走行環境であることを判定した場合、車両制御部７は、運転者の運転特性が「減速が多い」運転特性であることに基づいて、第１の挙動を「減速」と判定し、図２５の（ｂ）の表示を報知部９２に実行させる。
【０２５５】
図２５の（ｂ）には、第１の挙動である「減速」を示す記号２５１が第１の態様（例えば、第１の色）で示されている。また、第２の挙動である「追い越し」を示す記号２５２と、第２の挙動である「車線変更」を示す記号２５３が示されている。
【０２５６】
運転者は、実施の形態１で説明したような操作により、「追い越し」への挙動の変更を行った場合、車両制御部７は、図２５の（ｃ）の表示を報知部９２に実行させる。
【０２５７】
図２５の（ｃ）には、選択された挙動である「追い越し」を示す記号２５２’が、第１の態様で示されている。また、記号２５１’は、図２５の（ｂ）において第１の挙動として表示されていた記号２５１が記号２５２と入れ替わって表示されたものである。
【０２５８】
その後、車両制御部７は、図２５の（ａ）に示す表示を報知部９２に実行させてから第２の所定時間が経過した後に、図２５の（ｄ）に示す表示を報知部９２に表示させる。ここで、図２５の（ｄ）には、次の挙動として、運転者が選択した「追い越し」を示す記号２５２’が第２の態様で表示される。
【０２５９】
車両制御部７は、次にとる挙動が「追い越し」と決定した場合、運転特性モデルに含まれる「追い越し」の挙動に対応する特徴量を読み出し、それらの特徴量を反映させた「加速」を行うように、車両１を制御する。
【０２６０】
次に、運転者の運転特性が「減速が多い」運転特性ではない場合の表示の例を説明する。
【０２６１】
図２６は、本発明の実施の形態４における報知部９２の表示を説明する図である。図２６は、図５に示した走行環境の第１の例に対する表示である。なお、図２６の（ａ）は、運転者の運転特性が「加速が多い」運転特性である場合の例を示し、図２６の（ｂ）は、運転者の運転特性が「車線変更が多い」運転特性である場合の例を示している。
【０２６２】
図２６の（ａ）には、運転者の運転特性が「加速が多い」運転特性であることを示す記号２６１が示されている。また、第１の挙動である「加速」を示す記号２６２が第１の態様（例えば、第１の色）で示されている。また、第２の挙動である「車線変更」を示す記号２６３と、第２の挙動である「減速」を示す記号２６４が示されている。
【０２６３】
車両制御部７は、例えば、運転特性から過去に「加速」が多い（いわゆる過去に「加速」という挙動を選択した回数が多い）運転者に対して、図２６の（ａ）のような記号２６１を含む表示を報知部９２に実行させる。また、車両制御部７は、運転者の運転特性が「加速が多い」運転特性であることに基づいて、第１の挙動を「加速」と判定し、図２６の（ａ）の表示を報知部９２に実行させる。
【０２６４】
図２６の（ｂ）には、運転者の運転特性が「車線変更が多い」運転特性であることを示す記号２６５が示されている。また、第１の挙動である「車線変更」を示す記号２６６が第１の態様（例えば、第１の色）で示されている。また、第２の挙動である「車線変更」を示す記号２６７と、第２の挙動である「減速」を示す記号２６８が示されている。
【０２６５】
車両制御部７は、例えば、運転特性から過去に「車線変更」が多い（いわゆる過去に「車線変更」という挙動を選択した回数が多い）運転者に対して、図２６の（ｂ）のような記号２６５を含む表示を報知部９２に実行させる。車両制御部７は、運転者の運転特性が「車線変更が多い」運転特性であることに基づいて、第１の挙動を「車線変更」と判定し、図２６の（ｂ）の表示を報知部９２に実行させる。
【０２６６】
上記は、運転特性モデルのみを使用して説明したが、ドライバモデルを加味してもよく、図２３、図２５、図２６において、記号２３１は運転者の操作履歴から選択されたドライバモデルの種類を示してもよい。例えば、図５に示した走行環境の第１の例について、「減速」をよく選ぶドライバに適用するドライバモデルには図２３のような記号２３１を含む表示を報知部９２に実行させ、第１の挙動を「減速」と判定する。「加速」をよく選ぶドライバに適用するドライバモデルには図２６の（ａ）のような記号２６１を含む表示を報知部９２に実行させ、第１の挙動を「加速」と判定する。「車線変更」をよく選ぶドライバに適用するドライバモデルには図２６の（ａ）のような記号２６１を含む表示を報知部９２に実行させ、第１の挙動を「車線変更」と判定する。
【０２６７】
以上説明した本実施の形態によれば、車の将来の挙動を決定する際に、運転者の過去の走行履歴を学習し、その結果を将来の挙動の決定に反映させることができる。また、車両制御部が車を制御する際に、運転者の運転特性（運転嗜好）を学習し、車の制御に反映させることができる。
【０２６８】
これにより、車両が運転者若しくは乗員が嗜好するタイミングや操作量で自動運転を制御でき、実際運転者が手動運転する場合の感覚と乖離することなく、自動運転中に運転者による不要な操作介入を抑制することができる。
【０２６９】
なお、本発明では、車両制御部７が実行する機能と同様の機能をクラウドサーバなどのサーバ装置に実行させてもよい。また、記憶部８は、車両１ではなく、クラウドサーバなどのサーバ装置にあってもよい。あるいは、記憶部８は、既に構築されたドライバモデルを記憶し、車両制御部７は、記憶部８に記憶されたドライバモデルを参照して、挙動を判定することとしてもよい。
【０２７０】
このように、実施の形態４では、車両制御部７が、運転者の運転特性を示す特徴量の情報を取得し、記憶部８がその特徴量の情報を記憶し、車両制御部７が記憶部８に記憶された特徴量の情報に基づいて、運転者が選択した車両の挙動の傾向を、選択された各挙動の頻度で示すドライバモデルを車両の走行環境毎に構築することとした。
【０２７１】
また、車両制御部７は、複数の運転者のうち、類似した挙動の選択を行う運転者のグループを決定し、グループ毎、車両の走行環境毎にドライバモデルを構築することとした。
【０２７２】
また、車両制御部７は、類似した操作を行う運転者のグループ毎に各運転者が選択した挙動の頻度の平均値を算出し、運転者が選択した車両の挙動の傾向を、算出した平均値で示すドライバモデルを車両の走行環境毎に構築することとした。
【０２７３】
また、車両制御部７は、特定の運転者が選択した車両の挙動の傾向と類似する傾向がある他の運転者が選択した車両の挙動に基づいて、上記特定の運転者が選択した車両の挙動の傾向を、選択された各挙動の頻度で示すドライバモデルを車両の走行環境毎に構築することとした。
【０２７４】
以上により、車両制御部７は、運転者の運転傾向により適したドライバモデルを構築でき、構築したドライバモデルに基づいて、運転者に対してより適切な自動運転を行うことができる。
【０２７５】
（ドライバモデルの変形例）
なお、上記で説明したドライバモデルは、走行環境毎の運転者による操作（挙動）の傾向を各操作の頻度の情報などに基づいてモデル化したものであったが、本発明はこれに限定されない。
【０２７６】
例えば、ドライバモデルは、過去に走行した走行環境（つまり、シチュエーション）を示す環境パラメータと、その走行環境において運転者が実際に選択した操作（挙動）とを対応させた走行履歴に基づいて構築されてもよい。環境パラメータをドライバモデルに組み込むことにより、走行環境の検出・分類を別途行い、その分類結果をドライバモデルに入力（記憶）するという手続きを踏むことなく、選択肢を決めることが出来る。具体的には、図２３、図２４のような走行環境の違いを、環境パラメータとして取得し、ドライバモデルに直接入力（記憶）することにより、図２３では「加速」、「減速」、「車線変更」が選択肢となり、図２４では、「加速」、「減速」が選択肢となる。以下では、このようなドライバモデルを構築する場合について説明する。なお、以下に説明するドライバモデルは、シチュエーションデータベースと言い換えても良い。
【０２７７】
ここで、本変形例におけるドライバモデルを構築するための走行履歴について説明する。図２７は、走行履歴の一例を示す図である。図２７には、運転者ｘが運転する車両が、過去に走行した走行環境を示す環境パラメータと、その走行環境において運転者が実際に選択した操作（挙動）とを対応させた走行履歴が示されている。
【０２７８】
図２７に示す走行履歴の（ａ）〜（ｃ）の環境パラメータは、それぞれ、例えば、図８の（ｂ）、図５の（ｂ）、図７の（ｂ）に示したようにして運転者に車両の挙動を提示した際の走行環境を示すものである。この走行履歴の環境パラメータは、センシング情報およびインフラ情報から得られる。
【０２７９】
センシング情報は、車両が有するセンサやレーダ等が検知した情報である。インフラ情報は、ＧＰＳの情報、地図情報、路車間通信で取得される情報などである。
【０２８０】
例えば、図２７に示す走行履歴の環境パラメータは、「自車両の情報」、自車両ａが走行する車線の前方を走行する車両の情報を示す「先行車両の情報」、自車両が走行する車線の側方車線の情報を示す「側方車線の情報」、自車両が走行する位置に合流車線がある場合に、その合流車線の情報を示す「合流車線の情報」、自車両の位置とその周囲の情報を示す「位置情報」などを含む。また、後方車両の情報を含めてもよい。その場合、後方車両と自車両との相対速度、車頭間距離、車頭間距離の変化率などを用いても良い。また、車両の存在の情報を含めてもよい。
【０２８１】
例えば、「自車両の情報」は、自車両の速度Ｖａの情報を含む。「先行車両の情報」は、自車両に対する先行車両ｂの相対速度Ｖｂａ、先行車両と自車両との車間距離ＤＲｂａ、先行車両のサイズの変化率ＲＳｂの情報を含む。
【０２８２】
ここで、自車両の速度Ｖａは、自車両が有する速度センサによって検知される。相対速度Ｖｂａ、車間距離ＤＲｂａは、センサやレーダ等によって検知される。サイズの変化率ＲＳｂは、ＲＳｂ＝−Ｖｂａ／ＤＲｂａという関係式によって算出される。
【０２８３】
「側方車線の情報」は、側方車線において自車両より後方を走行する側後方車両ｃの情報と、側方車線において自車両より前方を走行する側前方車両ｄの情報と、自車両の残存側方車線長ＤＲｄａの情報とを含む。
【０２８４】
側後方車両の情報は、自車両に対する側後方車両の相対速度Ｖｃａ、側後方車両と自車両との車頭間距離Ｄｃａ、車頭間距離の変化率Ｒｃａの情報を含む。側後方車両と自車両との車頭間距離Ｄｃａとは、自車両（および側後方車両）の進行方向に沿った方向において測定される自車両の先端部（車頭）と側後方車両の先端部（車頭）との間の距離である。なお、車頭間距離は、車間距離及び車長から算出してもよい。また、車頭間距離は、車間距離に代替させてもよい。
【０２８５】
ここで、相対速度Ｖｃａ、車頭間距離Ｄｃａは、センサやレーダ等によって検知される。車頭間距離の変化率Ｒｃａは、Ｒｃａ＝Ｖｃａ／Ｄｃａという関係式によって算出される。
【０２８６】
また、側前方車両の情報は、自車両に対する側前方車両の相対速度Ｖｄａ、側前方車両と自車両との車頭間距離Ｄｄａ、車頭間距離の変化率Ｒｄａの情報を含む。側前方車両と自車両との車頭間距離Ｄｄａは、自車両（および側前方車両）の進行方向に沿って測定される自車両の先端部（車頭）と側前方車両の先端部（車頭）との間の距離である。
【０２８７】
相対速度Ｖｄａ、車頭間距離Ｄｄａは、センサやレーダ等によって検知される。また、車頭間距離の変化率Ｒｄａは、Ｒｄａ＝Ｖｄａ／Ｄｄａという関係式によって算出される。
【０２８８】
自車両の残存側方車線長ＤＲｄａは、側方車線への車線変更の可能性の高さを示すパラメータである。具体的には、自車両の残存側方車線長ＤＲｄａは、自車両（および側前方車両）進行方向に沿った方向において測定される自車両の先端部（車頭）と側前方車両の後端部との間の距離が、先行車両と自車両との車間距離ＤＲｂａより長い場合、自車両の先端部（車頭）と側前方車両の後端部との間の距離となり、自車両の先端部（車頭）と側前方車両の後端部との間の距離が、ＤＲｂａより短い場合、ＤＲｂａとなる。自車両の残存側方車線長ＤＲｄａは、センサやレーダ等によって検知される。
【０２８９】
「合流車線の情報」は、自車両に対する合流車両の相対速度Ｖｍａ、合流車両と自車両との車頭間距離Ｄｍａ、車頭間距離の変化率Ｒｍａの情報を含む。ここで、合流車両と自車両との車頭間距離Ｄｍａは、自車両（および合流車両）の進行方向に沿った方向において測定される自車両の先端部（車頭）と合流車両の先端部（車頭）との間の距離である。
【０２９０】
相対速度Ｖｍａ、車頭間距離Ｄｍａは、センサやレーダ等によって検知される。車頭間距離の変化率Ｒｍａは、Ｒｍａ＝Ｖｍａ／Ｄｍａという関係式によって算出される。
【０２９１】
図２７に示す走行履歴の例では、上記で説明した速度、距離、及び変化率の数値が複数のレベルに分類され、分類されたレベルを示す数値が記憶されている。なお、速度、距離、及び変化率の数値は、レベルに分類されることなくそのまま記憶されてもよい。
【０２９２】
位置情報は、「自車両の位置情報」、「走行車線数」、「自車両の走行車線」、「合流区間の開始・終了地点までの距離」「分岐区間の開始・終了地点までの距離」「工事区間開始・終了地点までの距離」「車線減少区間開始・終了地点までの距離」「交通事故発生地点までの距離」などの情報を含む。図２７には、位置情報の例として「自車両の走行車線」（図２７の走行車線）、及び「合流区間の開始・終了地点までの距離」の情報が示されている。
【０２９３】
例えば、「自車両の位置情報」の欄には、ＧＰＳより得られた緯度・経度を示す数値情報が記憶される。「走行車線数」の欄には、走行している道の車線の数が記憶される。「自車両の走行車線」の欄には、走行している車線の位置を示す数値情報が記憶される。「合流区間の開始・終了地点までの距離」の欄には、所定の距離内に合流区間の開始・終了地点が存在する場合に、合流区間の開始・終了地点までの距離が予め決められた複数のレベルに分類され、分類されたレベルの数値が記憶される。なお、所定の距離内に合流区間の開始・終了地点が存在しない場合、「合流区間の開始・終了地点までの距離」の欄には「０」が記憶される。
【０２９４】
「分岐区間の開始・終了地点までの距離」の欄には、所定の距離内に分岐区間の開始・終了地点が存在する場合に、分岐区間の開始・終了地点までの距離が予め決められた複数のレベルに分類され、分類されたレベルの数値が記憶される。なお、所定の距離内に分岐区間の開始・終了地点が存在しない場合、「分岐区間の開始・終了地点までの距離」の欄には「０」が記憶される。「工事区間開始・終了地点までの距離」の欄には、所定の距離内に工事区間開始・終了地点が存在する場合に、工事区間開始・終了地点までの距離が予め決められた複数のレベルに分類され、分類されたレベルの数値が記憶される。なお、所定の距離内に工事区間開始・終了地点が存在しない場合、「工事区間開始・終了地点までの距離」の欄には「０」が記憶される。
【０２９５】
「車線減少区間開始・終了地点までの距離」の欄には、所定の距離内に車線減少区間開始・終了地点が存在する場合に、車線減少区間開始・終了地点までの距離が予め決められた複数のレベルに分類され、分類されたレベルの数値が記憶される。なお、所定の距離内に車線減少区間開始・終了地点が存在しない場合、「車線減少区間開始・終了地点までの距離」の欄には「０」が記憶される。
【０２９６】
「交通事故発生地点までの距離」の欄には、所定の距離内に交通事故発生地点が存在する場合に、交通事故発生地点までの距離が予め決められた複数のレベルに分類され、分類されたレベルの数値が記憶される。なお、所定の距離内に交通事故発生地点が存在しない場合、「交通事故発生地点までの距離」の欄には「０」が記憶される。
【０２９７】
さらに、位置情報は、自車両が走行している道の全車線のうちどの車線が合流車線、分岐車線、工事車線、減少車線、事故発生車線かの情報を含んでも良い。
【０２９８】
なお、図２７に示した走行履歴はあくまで一例であり、本発明はこれに限定されない。例えば、上記側方車線の情報が右側方車線の情報である場合、走行履歴に、その反対側である「左側方車線の情報」がさらに含まれても良い。
【０２９９】
「左側方車線の情報」は、左側方車線において自車両より後方を走行する左側後方車両の情報と、左側方車線において自車両より前方を走行する左側前方車両の情報と、自車両の残存左側方車線長ＤＲｄａの情報とを含む。
【０３００】
左側後方車両の情報は、自車両に対する左側後方車両の相対速度Ｖｆａ、左側後方車両と自車両との車頭間距離Ｄｆａ、車頭間距離の変化率Ｒｆａの情報を含む。左側後方車両と自車両との車頭間距離Ｄｆａとは、自車両（および左側後方車両）の進行方向に沿った方向において測定される自車両の先端部（車頭）と左側後方車両の先端部（車頭）との間の距離である。
【０３０１】
ここで、相対速度Ｖｆａ、車頭間距離Ｄｆａは、センサやレーダ等によって検知される。また、車頭間距離の変化率Ｒｆａは、Ｒｆａ＝Ｖｆａ／Ｄｆａという関係式によって算出される。
【０３０２】
また、左側前方車両の情報は、自車両に対する左側前方車両の相対速度Ｖｇａ、左側前方車両と自車両との車頭間距離Ｄｇａ、車頭間距離の変化率Ｒｇａの情報を含む。左側前方車両と自車両との車頭間距離Ｄｇａは、自車両（および左側前方車両）の進行方向に沿って測定される自車両の先端部（車頭）と左側前方車両の先端部（車頭）との間の距離である。
【０３０３】
ここで、相対速度Ｖｇａ、車頭間距離Ｄｇａは、センサやレーダ等によって検知される。また、車頭間距離の変化率Ｒｇａは、Ｒｇａ＝Ｖｇａ／Ｄｇａという関係式によって算出される。
【０３０４】
なお、ここでは、車両の通行が左側通行である場合について説明したが、左右を逆転させることにより右側通行の場合にも同様の処理が可能である。
【０３０５】
また、図２７に示す走行履歴は、走行車線において自車両より後方を走行する後方車両の情報を示す「後方車両の情報」を含んでもよい。
【０３０６】
後方車両の情報は、自車両に対する後方車両の相対速度Ｖｅａ、後方車両と自車両との車頭間距離Ｄｅａ、車頭間距離の変化率Ｒｅａの情報を含む。後方車両と自車両との車頭間距離Ｄｅａとは、自車両（および後方車両）の進行方向に沿った方向において測定される自車両の先端部（車頭）と後方車両の先端部（車頭）との間の距離である。
【０３０７】
ここで、相対速度Ｖｅａ、車頭間距離Ｄｅａは、センサやレーダ等によって検知される。車頭間距離の変化率Ｒｅａは、Ｒｅａ＝Ｖｅａ／Ｄｅａという関係式によって算出される。
【０３０８】
なお、移動体に隠れて車頭間距離が計測できない場合などは、車頭間距離の代替として、計測できる車間距離や、車間距離に所定の車長を加えた近似値を使用しても良いし、車間距離に認識した車種ごとの車長を加えて算出してもよい。また、車頭間距離が計測できるかできないかに拘わらず、車頭間距離の代替として、計測できる車間距離や、車間距離に所定の車長を加えた近似値を使用しても良いし、車間距離に認識した車種ごとの車長を加えて算出してもよい。
【０３０９】
走行履歴には、車両の走行環境に関する他の様々な情報が含まれていてもよい。例えば、走行履歴には、先行車両や側方車両、合流車両の大きさや種別、および自車両との相対位置の情報が含まれていてもよい。例えば、後方から接近する車両の種別をカメラセンサで認識し、車両が緊急車両である場合に車両が救急車両であることを示す情報を含めても良い。これにより、緊急車両への対応のための情報報知であることを情報報知できる。あるいは、図２２で説明したような、ハンドル、ブレーキ、アクセル操作量を段階的に示した数値や、同乗者の情報などが走行履歴に含まれていてもよい。
【０３１０】
また、運転者の走行履歴として、自動運転中に選択した挙動が集約されてもよいし、運転者が手動運転中に実際に行った挙動が集約されてもよい。これにより、自動運転や手動運転といった運転状態に応じた走行履歴の収集ができる。
【０３１１】
また、図２７の例では、走行履歴に含まれる環境パラメータが、運転者に車両の挙動を提示した際の走行環境を示すものとしたが、運転者が挙動の選択を行った際の走行環境を示すものであってもよい。あるいは、運転者に車両の挙動を提示した際の走行環境を示す環境パラメータと、運転者が挙動の選択を行った際の走行環境を示す環境パラメータとが両方とも走行履歴に含まれてもよい。
【０３１２】
さらに、車両制御部７が、図２の（ａ）、図５の（ａ）、図６の（ａ）、図７の（ａ）、図８の（ａ）、図９の（ａ）、図１０の（ａ）に示す俯瞰図、または図１４の（ｃ）に示す表示を生成するに伴い、第１の挙動、及び、第２の挙動が選択される要因となった、寄与度の高い環境パラメータの情報、および、その環境パラメータに関連する情報（例えば、アイコンなど）の少なくとも一つを報知情報として生成し、生成した報知情報を俯瞰図上に示すなどして報知情報を報知部９２に報知させてもよい。
【０３１３】
この場合、例えば、車両制御部７は、先行車両と自車両との車間距離ＤＲｂａや先行車両のサイズの変化率ＲＳｂの寄与度が高ければ、俯瞰図における先行車両と自車両との間に輝度を上げたり色を変えたりした領域を表示させ、報知情報を報知部９２に報知させてもよい。
【０３１４】
また、車両制御部７が、先行車両と自車両との間の領域に車間距離ＤＲｂａや変化率ＲＳｂの寄与度が高いことを示すアイコンを報知情報として表示させてもよい。さらに、車両制御部７が、報知部９２に、俯瞰図上で先行車両と自車両とを結ぶ線分を報知情報として描画させるか、全ての周辺車両と自車両とを結ぶ線分を報知情報として描画させ、俯瞰図上で先行車両と自車両とを結ぶ線分を強調させてもよい。
【０３１５】
また、車両制御部７は、俯瞰図ではなく、運転者から見える視点画像の中で、報知部９２に先行車両と自車両との間に周囲の領域よりも輝度を上げたり、周囲の領域と異なる色にした領域を報知情報として表示させたりしてＡＲ（Augmented Reality）表示を実現させてもよい。また、車両制御部７が視点画像の中で、先行車両と自車との間の領域に高い寄与度の環境パラメータを示すアイコンを報知情報として報知部９２にＡＲ表示させてもよい。
【０３１６】
さらに、車両制御部７が視点画像の中で、先行車両と自車とを結ぶ線分を報知情報としてＡＲ表示させるか、視点画像の中で、全ての周辺車両と自車両とを結ぶ線分を報知情報としてＡＲ表示させ、先行車両と自車両とを結ぶ線分を強調させてもよい。
【０３１７】
なお、寄与度の高い環境パラメータあるいはその環境パラメータに関連する情報を報知する方法は、上記に限定されない。例えば、車両制御部７は、寄与度の高い環境パラメータの対象となる先行車両を強調表示した画像を報知情報として生成し、報知部９２に表示させてもよい。
【０３１８】
また、車両制御部７が、俯瞰図またはＡＲ表示において、寄与度の高い環境パラメータの対象となる先行車両等の方向を示す情報を報知情報として生成し、その情報を自車両または自車両の周辺に表示させてもよい。
【０３１９】
また、例えば、車両制御部７は、寄与度が高い環境パラメータの情報あるいはその環境パラメータに関連する情報を報知する代わりに、寄与度が低い環境パラメータの対象となる先行車両等の表示輝度を低くするなどして目立たなくし、相対的に目立つようにした寄与度が高い環境パラメータの情報あるいはその環境パラメータに関連する情報を報知情報として生成し、報知部９２に表示させてもよい。
【０３２０】
次に、運転者の走行履歴に基づくドライバモデルの構築について説明する。ドライバモデルには、複数のドライバの走行履歴をクラスタリングして構築するクラスタリング型と、特定の運転者（例えば、運転者ｘ）の走行履歴と類似する複数の走行履歴から運転者ｘのドライバモデルを構築する個別適応型とがある。
【０３２１】
まず、クラスタリング型について説明する。クラスタリング型のドライバモデルの構築方法は、図２７に示したような運転者の走行履歴を運転者毎に予め集約する。そして、互いの走行履歴の類似度が高い複数の運転者、つまり、類似した運転操作傾向を有する複数の運転者をグループ化してドライバモデルを構築する。
【０３２２】
走行履歴の類似度は、例えば、運転者ａと運転者ｂの走行履歴における挙動を所定のルールに基づいて数値化した場合に、環境パラメータの数値と挙動の数値とを要素とするベクトルの相関値から決定できる。この場合、例えば、運転者ａと運転者ｂの走行履歴から算出した相関値が所定値よりも高い場合に、運転者ａと運転者ｂの走行履歴を１つのグループとする。なお、類似度の算出については、これに限定されない。
【０３２３】
次に、個別適応型について説明する。個別適応型のドライバモデルの構築方法は、クラスタリング型の場合と同様に、図２７に示したような複数の運転者の走行履歴を予め集約する。ここで、クラスタリング型の場合と異なる点は、運転者毎にドライバモデルを構築する点である。例えば、運転者ｙに対してドライバモデルを構築する場合、運転者ｙの走行履歴と他の複数の運転者の走行履歴とを比較し、類似度が高い複数の運転者の走行履歴を抽出する。そして、抽出した複数の運転者の走行履歴から運転者ｙの個別適応型のドライバモデルを構築する。
【０３２４】
なお、図２７に示す走行履歴に基づくドライバモデル（シチュエーションデータベース）は、クラスタリング型、または、個別適応型に限定されず、例えば、全ての運転者の走行履歴を含むように構成されてもよい。
【０３２５】
ここで、構築したドライバモデルの使用方法について、例を挙げて説明する。以下の例では、運転者ｘに対し、４人の運転者ａ〜ｄの走行履歴を集約したドライバモデルが用いられる場合について説明する。なお、ドライバモデルは、車両制御部７によって構築される。
【０３２６】
図２８は、本変形例におけるドライバモデルの使用方法を示す図である。図２８の（ａ）は、運転者ｘが運転する車両の現時点における走行環境を示す環境パラメータである。図２８の（ｂ）は、運転者ｘに対するドライバモデルの一例である。
【０３２７】
図２８の（ａ）に示すように、現時点における走行環境を示す環境パラメータに対する挙動（操作）はブランクになる。車両制御部７は、環境パラメータを所定の間隔で取得し、環境パラメータのいずれかをトリガとして、図２８の（ｂ）に示すドライバモデルから次の挙動を判定する。
【０３２８】
トリガとしては、例えば、合流区間の開始地点までの距離が所定の距離以下になった場合、あるいは、先行車両との相対速度が所定値以下になった場合など、車両の操作の変更が必要となる場合を示す環境パラメータをトリガとしてもよい。
【０３２９】
車両制御部７は、図２８の（ａ）に示す環境パラメータと、図２８の（ｂ）に示すドライバモデルのそれぞれの走行履歴の環境パラメータとを比較し、最も類似する環境パラメータに対応づけられた挙動を第１の挙動であると判定する。また、それ以外の類似する環境パラメータに対応づけられたいくつかの挙動については、第２の挙動と判定する。
【０３３０】
環境パラメータが類似するか否かは、環境パラメータの数値を要素とするベクトルの相関値から決定できる。例えば、図２８の（ａ）に示す環境パラメータの数値を要素とするベクトルと、図２８の（ｂ）に示す環境パラメータの数値を要素とするベクトルとから算出した相関値が所定値よりも高い場合に、これらの環境パラメータが類似すると判定される。なお、環境パラメータが類似するか否かの判定方法については、これに限定されない。
【０３３１】
例えば、ここでは環境パラメータの類似度に基づいて挙動を決定することとしたが、まず環境パラメータの類似度の高いグループを作成し、そのグループにおける環境パラメータの統計をとり、その統計データから挙動を決定してもよい。
【０３３２】
このように、予め複数の運転者の走行履歴から運転者個人のドライバモデルを構築することにより、運転者により適した挙動を報知できる。なお、より安全な走行履歴をデータベースに登録するため、安全な走行の基準を示す情報を記憶部８が記憶しておき、走行履歴がこの基準を満たすか否かを車両制御部７が判定し、さらに車両制御部７が、この基準を満たす走行履歴をデータベースに登録し、この基準を満たさない走行履歴をデータベースに登録しないこととしてもよい。
【０３３３】
さらに、走行環境を示すパラメータと挙動とが対応づけられることにより、車両制御部７が、具体的な走行環境を判定することなく、つまり、走行環境のラベリングを行う事無く、精度よく次の挙動を判定できる。
【０３３４】
なお、ドライバモデル（シチュエーションデータベース）は、自動運転中に運転者が選択した挙動とその挙動を提示した際の走行環境を示す環境パラメータとを対応づけた走行履歴から構築されてもよい。あるいは、ドライバモデル（シチュエーションデータベース）は、自動運転中に運転者が選択した挙動とその挙動を車両が行った際の走行環境を示す環境パラメータとを対応付けた走行履歴から構築されてもよい。
【０３３５】
環境パラメータが、運転者により選択された挙動を車両が行った際の走行環境を示すものである場合、現時点における走行環境を示す環境パラメータから将来の走行環境を示す環境パラメータを予測し、運転者により選択された挙動を車両が行った際の走行環境を示す環境パラメータのうち、予測された環境パラメータに最も類似する環境パラメータに対応付けられた挙動を第１の挙動、それ以外の類似する環境パラメータに対応付けられたいくつかの挙動を第２の挙動であると判定してもよい。
【０３３６】
上記予測は、例えば、現時点と現時点よりも前の時点の走行環境を示す環境パラメータから将来の時点の環境パラメータを外挿することにより行う。
【０３３７】
あるいは、ドライバモデル（シチュエーションデータベース）は、自動運転中に運転者が選択した挙動とその挙動を提示した際の走行環境を示す環境パラメータとを対応づけた走行履歴、および、自動運転中に運転者が選択した挙動とその挙動を車両が行った際の走行環境を示す環境パラメータとを対応付けた走行履歴の両方から構築されてもよい。
【０３３８】
この場合、例えば、両者の走行履歴が図２８の（ｂ）に示したような形式で記憶され、車両制御部７は、それらから次の挙動を判定する。ここで、車両制御部７は、両者の間で優先度を設け、例えば、自動運転中に運転者が選択した挙動とその挙動を車両が行った際の走行環境を示す環境パラメータとを対応付けた走行履歴から優先的に次の挙動を判定してもよい。
【０３３９】
なお、本発明では、車両制御部７が実行する機能と同様の機能をクラウドサーバなどのサーバ装置に実行させてもよい。特に、記憶部８は走行履歴の蓄積に伴い膨大なデータ数となるため、車両１ではなくクラウドサーバなどのサーバ装置にあってもよい。あるいは、記憶部８は、既に構築されたドライバモデルを記憶し、車両制御部７は、記憶部８に記憶されたドライバモデルを参照して、挙動を判定することとしてもよい。
【０３４０】
なお、記憶部８がクラウドサーバに設けられる構成では、通信速度の低下・通信断などの原因により記憶部８にアクセスできない場合に備えキャッシュが設けられることが望ましい。
【０３４１】
図２９は、キャッシュの配置の一例を示すブロック図である。車両制御部７は、通信部２９１を通じて記憶部８に走行履歴を保存させ、通信部２９１を通じてキャッシュ２９２に記憶部８に記憶されたドライバモデル（シチュエーションデータベース）の一部を保持させる。
【０３４２】
車両制御部７は、キャッシュ２９２のドライバモデルにアクセスする。このときのキャッシュの作成方法については、環境パラメータの有無で限定する方法、位置情報を用いる方法、データを加工する方法などが考えられる。以下、それぞれについて説明する。
【０３４３】
まず、環境パラメータの有無で限定する方法について説明する。周囲の状況の比較により似た状況を抽出するには、同じ環境パラメータのみが存在する走行環境（シチュエーション）が十分にあれば可能である。従って、車両制御部７は、記憶部８に記憶された走行環境の中から同じ環境パラメータのみを持つ走行環境を抽出して、これらをソートし、キャッシュ２９２に保持する。
【０３４４】
ここで、車両制御部７は、検出された状況から得られる環境パラメータが変更されたタイミングで、一次キャッシュの更新を行う。こうすることで、車両制御部７は、通信速度の低下が発生しても似た周囲の状況を抽出することが可能になる。なお、変更の有無を判断する環境パラメータは、先に挙げた全ての環境パラメータでもよいし、一部の環境パラメータでもよい。
【０３４５】
さらに、この環境パラメータは刻一刻と変化するため、キャッシュ２９２内に一次キャッシュおよび二次キャッシュを用意しても良い。例えば、車両制御部７は、同じ環境パラメータを持つ走行環境を一次キャッシュに保持する。さらに、車両制御部７は、環境パラメータが一時キャッシュに保持された走行環境に一つ追加された状態にある走行環境、および、環境パラメータが一時キャッシュに保持された走行環境から一つ削減された状態にある走行環境の少なくとも一方を二次キャッシュに保持する。
【０３４６】
このようにすることで、車両制御部７は、一時的な通信断が発生しても、キャッシュ２９２のデータのみで、似た状況を抽出することが可能になる。
【０３４７】
図３０を使って、この場合についてさらに具体的に説明する。センサ６２により、自車両３０１の周囲に側前方車両３０２のみが存在している周囲状況３０３が検出されたとき、車両制御部７は、側前方車両３０２のみが存在している走行環境（同一の環境パラメータのみ存在する走行環境）を、全ての走行環境（シチュエーション）が記憶された記憶部８から抽出し、一次キャッシュ３０４に格納させる。
【０３４８】
さらに、車両制御部７は、側前方車両３０２以外の車が１台だけ追加された走行環境（同一の環境パラメータに１つの環境パラメータが追加された状態にある走行環境）もしくは、側前方車両３０２のいない走行環境（同一の環境パラメータから１つの環境パラメータが削減された状態にある走行環境）を記憶部８から抽出し、二次キャッシュ３０５に格納させる。
【０３４９】
そして、センサ６２により検出された周囲状況３０３が変わったとき、車両制御部７は、変わった周囲状況３０３に対応する走行環境を二次キャッシュ３０５から一次キャッシュ３０４にコピーし、変わった周囲状況３０３に対応する走行環境に対し、環境パラメータが一つ追加された走行環境、及び、環境パラメータが一つ削減された走行環境を記憶部８から抽出し、二次キャッシュ３０５に格納することで、二次キャッシュ３０５を更新する。これにより、車両制御部７は、周囲状況のスムーズに比較により似た周囲状況をスムーズに抽出することが可能になる。
【０３５０】
次に、位置情報を用いる方法について説明する。環境パラメータに位置情報が含まれている場合、車両制御部７は、その位置情報により示される位置が自車位置を中心とする一定の範囲内に含まれる走行環境（シチュエーション）を記憶部８から抽出し、キャッシュ２９２に格納させることが可能となる。
【０３５１】
この場合、車両制御部７は、走行環境に対応する位置情報により示される位置が上記一定の範囲から外れたときに、キャッシュ２９２の更新を行う。このようにすることで、車両制御部７は、長期間の通信断が発生しても位置が一定の範囲内であれば似た周囲状況を抽出することが可能になる。
【０３５２】
さらに、データを加工する方法について説明する。記憶部８には環境パラメータを含む操作履歴が蓄積されている。車両制御部７は、各々の環境パラメータを一定の範囲毎に分割し、多次元空間上でメッシュを作成する。そして、車両制御部７は、各々のメッシュに含まれる挙動をその種別ごとにカウントしたテーブルを作成する。
【０３５３】
例えば、使用する環境パラメータを二つに限定して説明する。車両制御部７は、操作履歴に含まれる環境パラメータを図３１の（ａ）のように平面状にマッピングし、これらの各々の軸を一定の範囲で分割することで、平面を複数のブロックに分ける。これをメッシュと呼ぶ。
【０３５４】
車両制御部７は、各々のメッシュの中に含まれる挙動の個数をその種別（例えば、加速、減速、車線変更、追い越しなどの種別）ごとにカウントする。図３１の（ｂ）に各メッシュの中に含まれる挙動の個数をその種別ごとにカウントしたテーブルを示す。
【０３５５】
車両制御部７は、この内容をキャッシュ２９２に保持する。そして、車両制御部７は、周囲状況の比較により似た周囲状況の抽出を行う際に、検出された環境パラメータがどのメッシュに位置するかを判別し、判別したメッシュの中に含まれる挙動のうち個数が最大である挙動を選択し、選択された挙動を報知する挙動に決定する。
【０３５６】
例えば、車両制御部７は、検出された環境パラメータがメッシュの３番に位置すると判別したとき、３番のメッシュの中に含まれる挙動のうち最大個数を示す挙動（ここでは「加速」）の操作を報知する挙動に決定する。この方法であれば、キャッシュ２９２の更新タイミングはいつでもよく、キャッシュ２９２の容量も一定とすることができる。
【０３５７】
これらの方法を一つもしくは複数を組み合わせることでキャッシュを作成する。ただし、上に挙げた方法は一例であり、キャッシュの作成方法はこの限りではない。
【０３５８】
このように、実施の形態４のドライバモデル拡張の例では、車両制御部７が、過去の走行環境の情報を含む運転者の運転特性を示す特徴量の情報を取得し、記憶部８がその特徴量の情報を記憶し、車両の挙動を変更する必要があると判定された場合、車両制御部７が記憶部８に記憶された特徴量の情報の中から、新たに取得した走行環境の情報を含む運転者の運転特性を示す特徴量に類似する情報を決定し、決定された情報に対応する挙動を報知することとした。
【０３５９】
また、実施の形態４のドライバモデル拡張の例では、過去の走行環境の情報を含む運転者の運転特性を示す特徴量の情報は、運転者に車両の挙動を提示した際の特徴量の情報、および、運転者が挙動の選択を行った際の特徴量の情報の少なくとも１つであることとした。
【０３６０】
また、実施の形態４のドライバモデル拡張の例では、過去の走行環境の情報を含む運転者の運転特性を示す特徴量の情報が、運転者に車両の挙動を提示した際の特徴量の情報、および、運転者が挙動の選択を行った際の特徴量の情報の両方である場合、それら両方の特徴量の情報の中から、新たに取得した走行環境の情報を含む運転者の運転特性を示す特徴量に類似する情報を決定し、決定された情報に対応する挙動を報知することとした。
【０３６１】
また、実施の形態４のドライバモデル拡張の例では、過去の走行環境の情報を含む運転者の運転特性を示す特徴量の情報が、運転者に車両の挙動を提示した際の特徴量の情報、および、運転者が挙動の選択を行った際の特徴量の情報の両方である場合、運転者が挙動の選択を行った際の特徴量の情報の中から優先的に、新たに取得した走行環境の情報を含む運転者の運転特性を示す特徴量に類似する情報を決定し、決定された情報に対応する挙動を報知することとした。
【０３６２】
また、実施の形態４のドライバモデル拡張の例では、過去の走行環境の情報を含む運転者の運転特性を示す特徴量の情報が、車両の自動運転時、および／または、手動運転時の運転者の運転特性を示す特徴量の情報であることとした。
【０３６３】
以上により、車両制御部７は、運転者の運転傾向により適したドライバモデルを構築でき、構築したドライバモデルに基づいて、運転者に対してより適切な自動運転を行うことができる。走行環境を示すパラメータと挙動とが対応づけられることにより、具体的な走行環境を判定する処理を要することなく、つまり、走行環境のラベリングを行うことなく、精度よく次の挙動を判定できる。
【０３６４】
（実施の形態５）
次に実施の形態５について説明する。上記の実施の形態では、ドライバの運転行動を推定する方法について記載していたが、本実施の形態では、車速の制御、車間距離の制御、加速度の制御について記載する。車速・車間距離・加速度については、ドライバが手動運転を行っている際の運転特性（運転の癖）を収集し、自動運転時に反映させる。
【０３６５】
具体的には、図３２を用いて説明する。まず、手動運転時のデータ収集方法について記載する。
【０３６６】
（車速の収集）
本実施の形態における車両挙動検出部２８２は、手動運転時に速度情報取得部６３から自車の速度情報（車速）を取得し、先行車の有無をセンサ６２により検出する。車両挙動検出部２８２は、先行車が検出できておらず、かつ定速走行になったことを検出すると、そのときの車速および環境パラメータを記憶部８，８ａに保存する。例えば、図３３のように、車両挙動検出部２８２は、速度変化すなわち加速度を求め、その加速度が一定の範囲内（閾値±Ａ１）である状態がＴ１秒間続いたときの走行状態を、定速走行状態と見なす。そして、車両挙動検出部２８２は、定速走行状態開始時の車速と環境パラメータを取得し、記憶部８，８ａに保存し、再び、定速走行状態の検索を開始する。これを繰り返すことにより記憶部８，８ａに情報をためていく。環境パラメータとは、実施の形態４に記載したもので、ここでは周囲の車との車間距離／相対変化率、車線数、車線位置、車線幅、路面状態を指す。このとき車線幅は、センサもしくはインフラから取得した車線の幅の値であり、路面状態は路面の滑りやすさをセンサもしくはインフラから取得した値（例えば、正常時＝０、雨天時＝１、凍結時＝２）である。
【０３６７】
（車間距離の収集）
また、車両挙動検出部２８２は、上述のように、手動運転時に速度情報取得部６３から自車の速度情報を取得し、先行車の有無をセンサ６２により検出する。そして、車両挙動検出部２８２は、先行車を検出している状態で、かつ一定車間距離走行になったことを検出すると、そのときの車間距離および環境パラメータと合わせて記憶部８，８ａに保存する。例えば、図３４のように、車両挙動検出部２８２は、車間距離の変化を求め、その車間距離の変化が一定の範囲内（閾値±Ａ２）である状態がＴ２秒間続いたときを一定車間距離走行と見なす。そして、車両挙動検出部２８２は、一定車間距離走行状態開始時の先行車との車間距離と環境パラメータを取得し、記憶部８，８ａに保存し、再び、一定車間距離走行状態の検索を開始する。これを繰り返すことにより記憶部８，８ａに情報をためる。このときの環境パラメータとは、自車の速度、周囲の車との車間距離／相対変化率（但し、先行車との車間距離は除く）、車線数、車線位置、車線幅、路面状態を指す。
【０３６８】
（加速度の収集）
さらに、車両挙動検出部２８２は、手動運転時に速度情報取得部６３から自車の速度情報を取得し、先行車の有無をセンサ６２により検出する。そして、車両挙動検出部２８２は、一定の加速度以上での加速もしくは一定の加速度以下の減速を検出すると、その前後の加速度パターンを環境パラメータと合わせて記憶部８，８ａに保存する。例えば、図３５のように、車両挙動検出部２８２は、加速度が一定の閾値Ａ３を超えた時からＴ３秒遡ったときの環境パラメータと閾値Ａ４を超えるもしくは速度０になるまで（減速のとき）の区間の加速度パターンを取得し、記憶部８，８ａに保存する。減速のときの環境パラメータとは、自車の速度、周囲の車との車間距離／相対変化率（但し、先行車との車間距離は除く）、車線数、車線位置、車線幅、路面状態、目標停止位置までの距離（停止する場合）、次の信号までの距離、信号の点灯状態を指す。目標停止位置までの距離は、自動運転システムが停止を判断した際の目標停止位置までの距離であり、それ以外のときには、０に設定される。次の信号までの距離は、次の信号までの距離が一定の距離以下のときに、次の信号までの実際の距離に設定され、それ以外のときには０に設定される。信号の点灯状態には、（赤＝０、黄＝１、青＝２）などが設定される。なお、加速度パターンとは、例えば、図３６のように加減速している時間、加速度のピークの位置およびピークの個数によって分類されるパターンである。あるいは、加速度パターンとは、減速もしくは加速時の平均加速度と、その中で加速度がある閾値を越える期間と、そのときの速度とを指す。
【０３６９】
自動運転制御部２８１は、これらの記憶部８，８ａに保存した情報（図３７、図３８）を用いて、ドライバにより自動運転に設定されたときに、車速／車間距離／加速度を周囲の状況に併せて制御する。その方法は、実施の形態４と同様であり、予めクライアント側が、記憶部８ａに保存されたデータを、通信部２９１を介してクラウド上にアップロードする。クラウド側で、他のドライバの運転特性と比較し、似たドライバのグループからドライバモデルを作成する。このとき、車速／車間距離／加速度おのおのについてドライバモデルを作成しても構わないし、全てを含んだドライバモデルを作成しても構わない。作成されたドライバモデルをクライアント側に送信する。これらの作業はエンジンをかけた直後などのタイミングで行われる。
【０３７０】
ドライバモデルは、実施の形態４に記載の方法で作成しても良いが、例えば機械学習を用いて、入力を環境パラメータとし、出力を車速／車間距離／加速度パターンとするモデルを作成してもよい。その場合、履歴から環境パラメータと車速の組み合わせを教師付きデータとして学習を行う。アルゴリズムは、ランダムフォレスト／サポートベクタマシン／勾配ブースティングなどを使う。学習して得られたモデルをドライバモデルとする。
【０３７１】
また、あるドライバに対し、似たドライバを集めることでドライバモデルを作成する方法は、実施の形態４に記載の方法でも良いが、例えば、クラウド上の運転特性（例えば車速）のデータの分布から局所ピークを複数検出した場合、これらを複数のクラスタが混合していると解釈し、各々の局所ピークとする分布を一つのクラスタとしてモデルを作成することで複数のドライバモデルを構築する方法などがある。この方法では、クライアント側のドライバの履歴と最も合致するドライバモデルを選択し車速を推定してもよいし、合致率の高い複数のドライバモデルを使い、その平均値を使って求めても良い。
【０３７２】
ドライバが自動運転に設定すると、自動運転制御部２８１はドライバモデルに環境パラメータを入力し、得られた車速／車間距離／加減速パターンに従い車両制御を行う。このようにすることで、ドライバが自動運転時の車間距離などをステアリングスイッチなどで設定する手間も省け、自分の運転に近い自動運転を実現することが出来る。
【０３７３】
［実施の形態４および５のまとめ］
図３９は、本発明の一態様に係る情報処理システムの構成を示す図である。
【０３７４】
この情報処理システム１０００は、履歴取得部１００１と、モデル化部１００２とを備える。
【０３７５】
履歴取得部１００１は、複数の運転者のそれぞれの個人走行履歴を取得する。これらの個人走行履歴を含む走行履歴は、例えば図１６、図１７、または図２０に示す走行履歴であり、個人走行履歴は、図２７に示す運転者ｘの走行履歴であってもよい。個人走行履歴は、運転者によって選択された車両の一または複数の挙動と、その一または複数の挙動のそれぞれが選択されたときの車両の走行環境とを対応付けて示す。ここで、挙動は、車両の運転行動、運転操作または作動状態などである。また、選択された車両の一または複数の挙動のそれぞれは、実施の形態１における自動運転において、運転者によって選択された第２の挙動である。あるいは、選択された車両の一または複数の挙動のそれぞれは、運転者による手動運転によって実施された挙動、すなわち手動運転によって選択された挙動であってもよい。
【０３７６】
モデル化部１００２は、その走行履歴のうち、少なくとも一部の運転者の個人走行履歴をモデル化することによって、その少なくとも一部の運転者の車両における挙動と走行環境との関係を示すドライバモデルを構築する。このドライバモデルは、例えば図１８、図２１または図２８の（ｂ）に示すドライバモデルである。
【０３７７】
情報処理システム１０００は、さらに、環境取得部１００３と、挙動推定部１００４とを備えてもよい。環境取得部１００３は、推定対象の運転者の車両の走行環境を取得する。走行環境は、例えば図１６、図１７、または図２０に示す走行環境である。なお、環境取得部１００３は、図１に示す検出部６であってもよく、検出部６によって検出された情報に基づいて走行環境を生成することによって、その走行環境を取得してもよい。
【０３７８】
挙動推定部１００４は、構築されたドライバモデルにおいて、環境取得部１００３によって取得された走行環境に関係付けられた挙動を、推定対象の運転者の車両の挙動として推定（または判定）する。
【０３７９】
これにより、ドライバモデルを用いて推定対象の運転者の車両の挙動が推定されるため、その推定対象の運転者の個人走行履歴が挙動の推定に不十分であっても、その運転者の車両の挙動を適切に推定することができる。つまり、運転者に適した運転行動を推定することができる。
【０３８０】
ここで、モデル化部１００２は、クラスタリング型のドライバモデルを構築してもよい。つまり、モデル化部１００２は、走行履歴のうち、互いに類似する複数の個人走行履歴からなるグループごとに、その互いに類似する複数の個人走行履歴をモデル化することによって、モデル運転者ごとの車両における挙動と走行環境との関係を示すドライバモデルを構築する。このような、クラスタリング型のドライバモデルは、例えば図１８に示すドライバモデルである。
【０３８１】
この場合、挙動推定部１００４は、推定対象の運転者の個人走行履歴と類似する、挙動と走行環境との関係を有するモデル運転者をそのドライバモデルから選択する。そして、挙動推定部１００４は、選択されたモデル運転者が有する、挙動と走行環境との関係において、環境取得部１００３によって取得された走行環境に関係付けられた挙動を、推定対象の運転者の車両の挙動として推定する。
【０３８２】
これにより、推定対象の運転者の個人走行履歴と類似する、挙動と走行環境との関係を有するモデル運転者が選択され、そのモデル運転者の関係を用いてその推定対象の運転者の車両の挙動が推定されるため、運転者により適した挙動（すなわち運転行動）を推定することができる。
【０３８３】
ここで、複数の運転者のそれぞれの個人走行履歴は、走行環境ごとに、予め定められた一または複数の挙動のそれぞれの当該走行環境において選択された頻度を示してもよい。
【０３８４】
この場合、モデル化部１００２は、走行環境ごとに、予め定められた一または複数の挙動のそれぞれについて、互いに類似する複数の個人走行履歴に示されるその挙動の頻度を平均化することによって、上記互いに類似する複数の個人走行履歴をモデル化する。
【０３８５】
これにより、モデル化を簡単に、且つ適切に行うことができる。
【０３８６】
また、モデル化部１００２は、個別適応型のドライバモデルを構築してもよい。つまり、モデル化部１００２は、走行履歴のうち、推定対象の運転者の個人走行履歴に類似する複数の個人走行履歴をモデル化することによって、その推定対象の運転者に対応するドライバモデルを構築する。このような、個別適応型のドライバモデルは、例えば図２１に示すドライバモデルである。
【０３８７】
これにより、走行履歴のうち、推定対象の運転者の個人走行履歴に類似する複数の個人走行履歴がモデル化されるため、その運転者により適した挙動（すなわち運転行動）を推定することができる。
【０３８８】
また、複数の運転者のそれぞれの個人走行履歴は、図２７に示すように、一または複数の挙動のそれぞれが選択されたときの車両の走行環境を、少なくとも１つの環境パラメータのそれぞれの数値からなるパラメータセットである第１のパラメータセットとして示してもよい。
【０３８９】
この場合、モデル化部１００２は、上記少なくとも一部の運転者の個人走行履歴に示される、第１のパラメータセットに含まれる各環境パラメータの数値をモデル化することによって、その少なくとも一部の運転者の車両における挙動と第１のパラメータセットとの関係を示すドライバモデルを構築する。このとき構築されるドライバモデルは、例えば、図２８の（ｂ）に示すドライバモデルである。環境取得部１００３は、その推定対象の運転者の車両の走行環境をパラメータセットとして取得する。なお、このパラメータセットも、第１のパラメータセットと同様に、少なくとも１つの環境パラメータのそれぞれの数値からなる。挙動推定部１００４は、構築されたそのドライバモデルにおいて、環境取得部１００３によって取得されたパラメータセットに類似する第１のパラメータセットに関連付けられた挙動を、推定対象の運転者の車両の挙動として推定する。
【０３９０】
これにより、走行環境がパラメータ化されているため、走行環境を細分化することができ、どのような走行環境であっても、その走行環境に応じた挙動（すなわち運転行動）を推定することができる。
【０３９１】
また、情報処理システム１０００は、挙動の候補を表示する表示部１００５を備えてもよい。なお、この表示部１００５は、図１に示す報知部９２に含まれていてもよい。また、複数の運転者のそれぞれの個人走行履歴は、さらに、運転者によって選択された車両の挙動ごとに、当該挙動が候補として表示されたときの走行環境として、少なくとも１つの環境パラメータのそれぞれの数値からなるパラメータセットである第２のパラメータセットを、当該挙動に対応付けて示してもよい。つまり、個人走行履歴には、挙動が選択されたときの走行環境である第１のパラメータセットと、その挙動が候補として表示されたときの走行環境である第２のパラメータセットとが、選択された挙動に対応付けて示されている。言い換えれば、第２のパラメータセットは、第１のパラメータセットよりも前の時点における走行環境である。なお、第１のパラメータセットは、挙動が選択されたときの走行環境であるが、その挙動が実施されたときの走行環境でもある。つまり、挙動が選択された時点における走行環境と、挙動が実施された時点における走行環境とには有意な差異はない。
【０３９２】
この場合、モデル化部１００２は、上記少なくとも一部の運転者の個人走行履歴に示される、第１のパラメータセットに含まれる各環境パラメータの数値をモデル化し、かつ、第２のパラメータセットに含まれる各環境パラメータの数値をモデル化することによって、上記少なくとも一部の運転者の車両における挙動と第１のパラメータセットと第２のパラメータとの関係を示すドライバモデルを構築する。そして、挙動推定部１００４は、構築されたドライバモデルにおいて、環境取得部１００３によって取得されたパラメータセットに類似する第１のパラメータセットまたは第２のパラメータセットに関係付けられた挙動を、推定対象の運転者の車両の挙動として推定する。
【０３９３】
挙動の候補を表示するタイミング（表示タイミング）は、挙動の選択または実施のタイミング（選択タイミング）よりも前である。また、表示タイミングと選択タイミングとでは、走行環境が異なることがある。表示タイミングには、そのときの走行環境を取得することはできるが、後の選択タイミングにおける走行環境を取得することはできない。また、この表示タイミングに、挙動を推定することが望ましい。
【０３９４】
そこで、上述のように、モデル化部１００２は、選択タイミングの走行環境である第１のパラメータセットと、表示タイミングの走行環境である第２のパラメータセットと、選択された挙動との関係を示すドライバモデルを構築している。また、環境取得部１００３によって取得されたパラメータセットは、表示タイミングのパラメータセットである場合と、その表示タイミングのパラメータセットから外挿などによって予測された選択タイミングのパラメータセットである場合とがある。したがって、環境取得部１００３によって取得されたパラメータセットが表示タイミングのパラメータセットである場合には、挙動推定部１００４は、そのパラメータセットに類似する第２のパラメータセットに関連付けられた挙動を、推定対象の運転者の車両の挙動として推定する。これにより、事前により適切な挙動（すなわち運転行動）を推定することができる。一方、環境取得部１００３によって取得されたパラメータセットが選択タイミングのパラメータセットである場合には、挙動推定部１００４は、そのパラメータセットに類似する第１のパラメータセットに関連付けられた挙動を、推定対象の運転者の車両の挙動として推定する。これにより、事前に、つまり表示タイミングにおいて、より適切な挙動（すなわち運転行動）を推定することができる。
【０３９５】
このとき、挙動推定部１００４は、構築されたドライバモデルにおいて、環境取得部１００３によって取得されたパラメータセットに類似する第１のパラメータセットに関係付けられた挙動を優先的に、推定対象の運転者の車両の挙動として推定してもよい。
【０３９６】
これにより、挙動の推定の処理を適切に行うことができる。
【０３９７】
また、個人走行履歴は、図３７に示すように、一または複数の挙動として一または複数種の車速での走行を示してもよい。この場合、図３３に示すように、環境取得部１００３は、推定対象の運転者の車両が、０を含む予め定められた範囲の加速度で第１の期間だけ継続して走行しているときの、その車両の走行環境をパラメータセットとして取得する。なお、このような走行の状態は、定速走行状態と見なされる。また、第１の期間は、例えば図３３に示すＴ１秒である。そして、挙動推定部１００４は、構築されたドライバモデルにおいて、環境取得部１００３によって取得されたパラメータセットに類似する第１のパラメータセットに関連付けられた車速での走行を、推定対象の運転者の車両の挙動として推定する。また、情報処理システム１０００は、さらに、挙動推定部１００４によって推定された車速での走行をその車両が実施するように、その車両を制御する車両制御部１００６を備える。
【０３９８】
これにより、走行環境に応じた車速であって、かつ運転者に適した車速での走行を車両に実施させることができる。
【０３９９】
また、個人走行履歴は、図３７に示すように、一または複数の挙動として一または複数種の車間距離での走行を示してもよい。この場合、図３４に示すように、環境取得部１００３は、推定対象の運転者の車両が走行し、かつ、その車両と他車両との間の車間距離の単位時間当たりの変化量（車間距離変化［ｍ／ｓ］）が、０を含む予め定められた範囲にある状態が、第２の期間だけ継続しているときの、その車両の走行環境をパラメータセットとして取得する。なお、第２の期間は、例えば図３４に示すＴ２秒である。そして、挙動推定部１００４は、構築されたドライバモデルにおいて、環境取得部１００３によって取得されたパラメータセットに類似する第１のパラメータセットに関連付けられた車間距離での走行を、推定対象の運転者の車両の挙動として推定する。車両制御部１００６は、挙動推定部１００４によって推定された車間距離での走行を、推定対象の運転者の車両が実施するように、その車両を制御する。
【０４００】
これにより、走行環境に応じた車間距離であって、かつ運転者に適した車間距離での走行を車両に実施させることができる。
【０４０１】
また、個人走行履歴は、一または複数の挙動として一または複数種の加速度パターン（例えば図３６に示す加速度パターン）での走行を示してもよい。この場合、図３５に示すように、環境取得部１００３は、推定対象の運転者の車両の加速度の絶対値が第１の閾値を超えてから、その第１の閾値よりも低い第２の閾値以下になるまでの期間に対応する時点における、車両の走行環境をパラメータセットとして取得する。例えば、第１の閾値は、図３５に示すＡ３の加速度閾値であり、第２の閾値は、図３５に示すＡ４の加速度閾値である。そして、上記期間に対応する時点は、その期間から、図３５に示すＴ３秒遡った時点である。挙動推定部１００４は、構築されたドライバモデルにおいて、環境取得部１００３によって取得されたパラメータセットに類似する第１のパラメータセットに関連付けられた加速度パターンでの走行を、推定対象の運転者の車両の挙動として推定する。車両制御部１００６は、挙動推定部１００４によって推定された加速度パターンでの走行を、推定対象の運転者の車両が実施するように、その車両を制御する。
【０４０２】
これにより、走行環境に応じた加速度パターンであって、かつ運転者に適した加速度パターンでの走行を車両に実施させることができる。今回の例では、加速度パターンで走行を表したが、平均加速度で走行を表してもよい。
【０４０３】
また、個人走行履歴は、一または複数の挙動として車線変更・右左折時の舵角パターン（例えば図４０に示す舵角パターン）での走行を示してもよい。この場合、図４１に示すように、環境取得部１００３は、推定対象の運転者の車両の舵角の絶対値が第１の閾値を超えてから、０になるまでの期間に対応する時点における、車両の走行環境をパラメータセットとして取得する。例えば、第１の閾値は、図４１に示すＡ５の舵角閾値である。挙動推定部１００４は、構築されたドライバモデルにおいて、環境取得部１００３によって取得されたパラメータセットに類似する第１のパラメータセットに関連付けられた舵角パターンでの走行を、推定対象の運転者の車両の挙動として推定する。車両制御部１００６は、挙動推定部１００４によって推定された舵角パターンでの走行を、推定対象の運転者の車両が実施するように、その車両を制御する。
【０４０４】
これにより、走行環境に応じた舵角パターンであって、かつ運転者に適した舵角パターンでの走行を車両に実施させることができる。今回の例では、舵角パターンで走行を表したが、最大舵角と舵角の最大角速度で走行を表してもよい。
【０４０５】
また、情報処理システム１０００は、さらに、特性取得部１００７を備えてもよい。特性取得部１００７は、複数の運転者のそれぞれの個人運転特性を含む運転特性を取得する。個人運転特性は、例えば図２２に示すように、運転者の運転によって実施された車両の一または複数の挙動と、その一または複数の挙動のそれぞれを実施するために行われた車両の運転の特徴量とを対応付けて示す。例えば、特徴量は、車両の速さであってもよく、ハンドル、ブレーキ、およびアクセルなどの操作量であってもよい。この場合、モデル化部１００２は、さらに、その運転特性のうち、少なくとも一部の運転者の個人運転特性をモデル化することによって、その少なくとも一部の運転者の車両における挙動と特徴量との関係を示す運転特性モデルを構築する。なお、運転特性モデルは、ドライバモデルと同様、クラスタリング型であっても、個別対応型であってもよい。そして、車両制御部１００６は、一または複数の挙動のうちの何れかの挙動が、実施対象の挙動として、運転者によって選択されたとき、または、挙動推定部１００４によって推定されたときには、構築された運転特性モデルにおいて、その実施対象の挙動に関係付けられた特徴量にしたがって、推定対象の運転者の車両の挙動を制御する。例えば、図２２に示すように、同乗者なしのときに、運転者ｘに対して挙動「車線変更」が推定されときには、速さ「８」、ハンドル「４」、ブレーキ「６」およびアクセル「８」などの特徴量にしたがって車両の挙動「車線変更」を制御する。
【０４０６】
これにより、運転者の車両の挙動は、その運転者の運転特性、すなわち運転の癖にしたがって行われるため、その運転者により適した運転行動を行うことができる。
【０４０７】
なお、このとき車両特性モデルを構築することもできる。
【０４０８】
図４２は、車両特性モデルを構築する情報処理システムの構成を示す図である。図４３は、車両特性を示す図である。
【０４０９】
すなわち、ブレーキ、アクセルの踏み込み量による車両挙動への影響は車両により大きく異なる。これを推定することにより、車両の制御をスムーズに行うことができる。例えば、ブレーキの踏み込んだ時の加速度と合わせて、ブレーキ踏み込み量および車両の走行環境をパラメータセットとして取得する。ここでのパラメータセットは、車種ＩＤ、車速、路面状態（滑りやすさなどを何段階かに数値化したもの）、勾配、風速（自車の進行方向に対する風速）、総積載重量（乗員含む）などである。特性取得部１００７ａは、複数の車両のそれぞれの個別車両特性を取得する。これらの個別車両特性を含む車両特性は、例えば図４３に示す車両特性である。車両特性は、車両ＩＤごとに、その車両ＩＤを有する車両におけるシチュエーション記述パラメータ（特徴量）と、そのシチュエーション記述パラメータでの走行が行われたときの踏み込み量（挙動）とを対応付けて示す。
【０４１０】
モデル化部１００２は、その車両特性のうち、少なくとも一部の車両の個別車両特性をモデル化することによって、その少なくとも一部の車両における踏み込み量とシチュエーション記述パラメータとの関係を示す車両特性モデルを構築する。挙動推定部１００４は、ドライバモデルなどと同様の方法で、車両特性モデルを用いて、ブレーキの踏み込み量を、推定対象の車両の挙動として推定する。つまり、挙動推定部１００４は、構築された車両特性モデルにおいて、環境取得部１００３によって取得されたパラメータセットおよび運転特性により推定された加速度に類似する第１のパラメータセットに関連付けられたブレーキの踏み込み量を、推定対象の車両の挙動として推定する。車両制御部１００６は、挙動推定部１００４によって推定されたブレーキの踏み込み量に従い、その車両を制御する。アクセルについても同様に制御することができる。
【０４１１】
これにより、車両の挙動が車両特性の予測にしたがって行われるため、車両制御をスムーズに行うことができる。
【０４１２】
また、情報処理システム１０００は、さらに、挙動推定部１００４によって推定された挙動を、その挙動が実施される前に、推定対象の運転者に報知する報知部１００８を備えてもよい。なお、この報知部１００８は、図１の報知部９２であってもよい。
【０４１３】
これにより、推定された挙動が報知されるため、どのような挙動が行われるのかを事前に運転者に容易に把握させることができ、その運転者の不安を解消することができる。
【０４１４】
なお、環境取得部１００３、挙動推定部１００４、表示部１００５、車両制御部１００６、および報知部１００８の全てまたは一部は、推定対象の運転者の車両に備えられていてもよく、その車両の外部に備えられていてもよい。同様に、履歴取得部１００１、モデル化部１００２および特性取得部１００７の全てまたは一部は、推定対象の運転者の車両に備えられていてもよく、その車両の外部に備えられていてもよい。情報処理システム１０００に含まれるこれらの構成要素のうち、一部の構成要素が車両に備えられ、残りの一部の構成要素が車両の外部に備えられる場合には、車両の内外にある構成要素は、例えばネットワークを介した通信を行うことによって、上述の各処理を実行する。
【０４１５】
また、車両制御部１００６は、図１に示す車両制御部７であってもよい。また、履歴取得部１００１、特性取得部１００７、モデル化部１００２、および挙動推定部１００４は、図１に示す車両制御部７に含まれていてもよい。
【０４１６】
また、個人走行履歴および個人運転特性、例えば各車両の車両制御部１００６によって生成される。車両制御部１００６は、個人走行履歴または個人運転特性を、自動運転時に生成して蓄積してもよく、手動運転時に生成して蓄積してもよい。
【０４１７】
図４４は、本発明の一態様に係る情報処理方法のフローチャートである。
【０４１８】
本発明の一態様に係る情報処理方法は、ステップＳ１００１とステップＳ１００２とを含む。
【０４１９】
ステップＳ１００１では、複数の運転者のそれぞれの個人走行履歴であって、運転者によって選択された車両の一または複数の挙動と、その一または複数の挙動のそれぞれが選択されたときの車両の走行環境とを対応付けて示す個人走行履歴を含む、走行履歴を取得する。
【０４２０】
ステップＳ１００２では、その走行履歴のうち、少なくとも一部の運転者の個人走行履歴をモデル化することによって、その少なくとも一部の運転者の車両における挙動と走行環境との関係を示すドライバモデルを構築する。
【０４２１】
これにより、ドライバモデルを用いて推定対象の運転者の車両の挙動が推定されるため、その推定対象の運転者の個人走行履歴が挙動の推定に不十分であっても、その運転者の車両の挙動を適切に推定することができる。つまり、運転者に適した運転行動を推定することができる。
【０４２２】
［実施の形態４および５の変形例］
実施の形態４および５では、運転者の車両の挙動（運転行動）を推定して、その推定された挙動が実施されるように車両を制御する。これに対して、本変形例では、例えば手動運転時において、運転者の車両の危険な挙動を推定し、その危険な挙動が実施されないように運転者に警告する点に特徴がある。
【０４２３】
図４５は、本変形例に係る情報処理システムの構成を示す図である。
【０４２４】
本変形例に係る情報処理システム１１００は、上述の情報処理システム１０００と同様に、履歴取得部１００１、モデル化部１００２、環境取得部１００３、および挙動推定部１００４を備える。さらに、情報処理システム１１００は、危険判定部１０１０、危険履歴取得部１０１１、走行履歴格納部１０１２、危険走行履歴格納部１０１３、および警告処理部１０１６を備える。
【０４２５】
危険判定部１０１０は、運転者によって選択された車両の挙動を、その挙動が選択されたときの車両の走行環境と共に取得して、予め定められた判定基準に基づいてその挙動が危険か否かを判定する。危険判定部１０１０は、車両に備えられている場合には、その車両の挙動と走行環境を取得するだけでなく、他の車両の挙動と走行環境も取得して、その挙動が危険か否かを判定する。つまり、危険判定部１０１０は、複数の運転者のそれぞれについて、その運転者によって選択された車両の挙動を、その挙動が選択されたときの車両の走行環境と共に取得して、予め定められた判定基準に基づいてその挙動が危険か否かを判定する。危険判定部１０１０は、予め定められた判定基準としてルールベースを保持している。このルールベースには、複数種の挙動のそれぞれが危険か、危険でないかが示されている。
【０４２６】
さらに、危険判定部１０１０は、危険ではないと判定した場合には、その挙動と走行環境とを含む情報を、個人走行情報として出力する。一方、危険判定部１０１０は、危険であると判定した場合には、その挙動と走行環境とを含む情報を、個人危険走行情報として出力する。
【０４２７】
履歴取得部１００１は、複数の運転者のそれぞれについて、危険判定部１０１０から出力される複数の個人走行情報からなる情報群をその運転者の個人走行履歴として取得する。そして、履歴取得部１００１は、複数の運転者のそれぞれの個人走行履歴を含む走行履歴を走行履歴格納部１０１２に格納する。
【０４２８】
危険履歴取得部１０１１は、複数の運転者のそれぞれについて、危険判定部１０１０から出力される複数の個人危険走行情報からなる情報群をその運転者の個人危険走行履歴として取得する。そして、危険履歴取得部１０１１は、複数の運転者のそれぞれの個人危険走行履歴を含む危険走行履歴を危険走行履歴格納部１０１３に格納する。
【０４２９】
モデル化部１００２は、上述の走行履歴を用いてドライバモデルを構築するだけでなく、上述の危険走行履歴を用いて危険ドライバモデルも構築する。つまり、モデル化部１００２は、危険走行履歴のうち、少なくとも一部の運転車の個人危険走行履歴をモデル化することによって、その少なくとも一部の車両における危険な挙動と走行環境との関係を示す危険ドライバモデルを構築する。この危険ドライバモデルは、ドライバモデルと同様に、クラスタリング型であってもよく、個別適応型であってもよい。
【０４３０】
警告処理部１０１６は、構築されたドライバモデルにおいて、環境取得部１００３によって取得された走行環境に関係付けられた危険な挙動を、推定対象の運転者の車両の挙動として推定する。そして、警告処理部１０１６は、推定された危険な挙動に対する運転者への警告を行うための処理を実行する。報知部１００８は、この警告処理部１０１６の処理に応じて、運転者への警告を行う。
【０４３１】
図４６は、危険走行履歴格納部１０１３に格納される危険走行履歴の一例を示す図である。
【０４３２】
危険走行履歴は、例えば、運転者を識別するためのドライバＩＤごとに、そのドライバＩＤと、そのドライバＩＤの運転者の車両の走行環境と、その走行環境において選択された危険な挙動（すなわちリスク）とを示す。また、走行環境は、例えば、それぞれ環境パラメータである車速（ｋｍ／ｈ）、前方車車間距離（ｍ）、前方車相対変化率、左前方車車間距離（ｍ）、および左前方車相対変化率などの値からなる。なお、前方車相対変化率は、自車両と前方車との間の車頭間距離の変化率であり、左前方車相対変化率は、自車両と左前方車との間の車頭間距離の変化率である。また、リスクは、例えば、追突、車線逸脱、および右後方車との接触などである。
【０４３３】
このような情報処理システム１１００では、推定対象の運転者と類似する個人危険走行履歴の運転者が危険な運転を過去に行っている場合には、その危険な運転を行ったときの走行環境が推定対象の運転者の車両において取得されると、リスクの内容に応じた警告を行う。
【０４３４】
例えば、前方車と追突する可能性が高い走行環境が、環境取得部１００３によって取得されると、警告処理部１０１６は、危険な挙動として追突を推定する。その走行環境は、具体的には、車間距離とブレーキのタイミングなどを示す。警告処理部１０１６は、推定対象の運転者と類似する個人危険走行履歴を有する運転者がその走行環境において過去に追突していれば、その走行環境では追突の可能性が高いと判断する。そして、警告処理部１０１６は、例えばＨＵＤとして構成される報知部１００８に、早めのブレーキを促す警告メッセージなどを表示させる。
【０４３５】
また、車線離脱の可能性が高い走行環境が、環境取得部１００３によって取得されると、警告処理部１０１６は、危険な挙動として車線逸脱を推定する。その走行環境は、具体的には、車速、ブレーキのハンドルの操作量（操舵角）、車線幅、および、走行している道路のカーブ曲率などを示す。警告処理部１０１６は、推定対象の運転者と類似する個人危険走行履歴を有する運転者がその走行環境において、例えばカーブを曲がりきれない車線離脱を過去にしていれば、その走行環境では車線離脱の可能性が高いと判断する。そして、警告処理部１０１６は、例えばＨＵＤとして構成される報知部１００８に、減速を促す警告メッセージなどを表示させる。このとき、警告処理部１０１６は、目標とすべきハンドルの操作量（操舵角）または走行ラインなどを報知部１００８に表示させてもよい。
【０４３６】
また、車線変更によって他車両に接触する可能性が高い走行環境が、環境取得部１００３によって取得されると、警告処理部１０１６は、危険な挙動として接触を推定する。その走行環境は、具体的には、右後方車と自車両との車間距離などを示す。警告処理部１０１６は、推定対象の運転者と類似する個人危険走行履歴を有する運転者がその走行環境において、右後方車との接触を過去にしていれば、その走行環境では右後方車との接触の可能性が高いと判断する。そして、警告処理部１０１６は、例えばＨＵＤとして構成される報知部１００８に、右後方車が接近していることを通知する警告メッセージなどを表示させる。
【０４３７】
また、歩行者などの障害物に接触する可能性が高い走行環境が、環境取得部１００３によって取得されると、警告処理部１０１６は、危険な挙動として接触を推定する。その走行環境は、具体的には、障害物と自車両との距離などを示す。警告処理部１０１６は、推定対象の運転者と類似する個人危険走行履歴を有する運転者がその走行環境において、障害物との接触（または接触の緊急回避）を過去にしていれば、その走行環境では障害物との接触の可能性が高いと判断する。そして、警告処理部１０１６は、例えばＨＵＤとして構成される報知部１００８に、障害物に注意を促す警告メッセージなどを表示させる。
【０４３８】
また、右折または左折時の巻き込みの可能性が高い走行環境が、環境取得部１００３によって取得されると、警告処理部１０１６は、危険な挙動として巻き込みを推定する。その走行環境は、具体的には、走行地点（具体的には交差点）と、障害物と自車両との距離などを示す。警告処理部１０１６は、推定対象の運転者と類似する個人危険走行履歴を有する運転者がその走行環境において、巻き込みを過去にしていれば、その走行環境では巻き込みの可能性が高いと判断する。そして、警告処理部１０１６は、例えばＨＵＤとして構成される報知部１００８に、巻き込みに注意を促す警告メッセージなどを表示させる。
【０４３９】
このように本変形例では、例えば推定対象の運転者が手動運転しているときには、追突または車線逸脱などの危険な挙動を回避するための警告をその運転者に行うことができ、危険な挙動の発生を抑えることができる。
【０４４０】
以上、本発明に係る実施形態について図面を参照して詳述してきたが、上述した装置や各処理部の機能は、コンピュータプログラムにより実現され得る。
【０４４１】
上述した機能をプログラムにより実現するコンピュータは、キーボードやマウス、タッチパッドなどの入力装置、ディスプレイやスピーカなどの出力装置、プロセッサまたはＣＰＵ（Central Processing Unit）、ＲＯＭ（Read Only Memory）、ＲＡＭ（Random Access Memory）、ハードディスク装置やＳＳＤ（Solid State Drive）などの記憶装置、ＤＶＤ−ＲＯＭ（Digital Versatile Disk Read Only Memory）やＵＳＢ（Universal Serial Bus）メモリなどの記録媒体から情報を読み取る読取装置、ネットワークを介して通信を行うネットワークカードなどを備え、各部はバスにより接続される。
【０４４２】
そして、読取装置は、上記プログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【０４４３】
そして、プロセッサまたはＣＰＵが、記憶装置に記憶されたプログラムをＲＡＭにコピーし、そのプログラムに含まれる命令をＲＡＭから順次読み出して実行することにより、上記各装置の機能が実現される。
【産業上の利用可能性】
【０４４４】
本発明に係る情報処理システム、情報処理方法およびプログラムは、車両の運転に関する情報を処理する装置またはシステムに適用することができる。
【符号の説明】
【０４４５】
１  車両
２  ブレーキペダル
３  アクセルペダル
４  ウィンカーレバー
５  ハンドル
６  検出部
７、１００６  車両制御部
８  記憶部
９  情報報知装置
１０  タッチパネル
２９ａ〜２９ｃ、２９ｇ、３９ａ〜３９ｃ、３９ｇ、５９ａ〜５９ｃ、５９ｇ、６９ａ、６９ｃ、６９ｇ、７９ａ、７９ｃ、７９ｇ、８９ａ〜８９ｃ、８９ｇ、９９ｂ、９９ｃ、９９ｇ、１０９ａ〜１０９ｄ、１０９ｅ、１０９ｇ、１２１、１２１ａ〜１２１ｄ  表示領域
５１  操作部
５１ａ〜５１ｈ  操作ボタン
５９、６９、７９、８９、９９  文字情報
９１  情報取得部
９２、１００８  報知部
１０１、１００５  表示部
１０２  入力部
１０９  表示
１１１、１１２、１１３、１１４、１２１、１２１’、１２２、１２２’、１２３、１３１、１３１’、１３２、１３３、１３４、１３４’、１３５〜１３７、２３１、２３２、２３３、２３３’、２３４、２３４’、２３５、２５１、２５１’、２５２、２５２’、２５３、２６１、２６２、２６３、２６４、２６５、２６６、２６７、２６８  記号
２９１  通信部
２９２  キャッシュ
３０１  自車両
３０２  側前方車両
３０３  検出された周囲状況
３０４  一次キャッシュ
３０５  二次キャッシュ
１０００  情報処理システム
１００１  履歴取得部
１００２  モデル化部
１００３  環境取得部
１００４  挙動推定部
１００７  特性取得部
【要約】
運転者に適した運転行動を推定することができる情報処理システム（１０００）は、複数の運転者のそれぞれの個人走行履歴であって、運転者によって選択された車両の一または複数の挙動と、その一または複数の挙動のそれぞれが選択されたときのその車両の走行環境とを対応付けて示す個人走行履歴を取得する履歴取得部（１００１）と、その複数の運転者のそれぞれの個人走行履歴を含む走行履歴のうち、少なくとも一部の運転者の個人走行履歴をモデル化することによって、その少なくとも一部の運転者の車両における挙動と走行環境との関係を示すドライバモデルを構築するモデル化部（１００２）とを備える。【図１】
0006052530.tif 000002
【図２】
0006052530.tif 000003
【図３】
0006052530.tif 000004
【図４】
0006052530.tif 000005
【図５】
0006052530.tif 000006
【図６】
0006052530.tif 000007
【図７】
0006052530.tif 000008
【図８】
0006052530.tif 000009
【図９】
0006052530.tif 000010
【図１０】
0006052530.tif 000011
【図１１】
0006052530.tif 000012
【図１２】
0006052530.tif 000013
【図１３】
0006052530.tif 000014
【図１４】
0006052530.tif 000015
【図１５】
0006052530.tif 000016
【図１６】
0006052530.tif 000017
【図１７】
0006052530.tif 000018
【図１８】
0006052530.tif 000019
【図１９】
0006052530.tif 000020
【図２０】
0006052530.tif 000021
【図２１】
0006052530.tif 000022
【図２２】
0006052530.tif 000023
【図２３】
0006052530.tif 000024
【図２４】
0006052530.tif 000025
【図２５】
0006052530.tif 000026
【図２６】
0006052530.tif 000027
【図２７】
0006052530.tif 000028
【図２８】
0006052530.tif 000029
【図２９】
0006052530.tif 000030
【図３０】
0006052530.tif 000031
【図３１】
0006052530.tif 000032
【図３２】
0006052530.tif 000033
【図３３】
0006052530.tif 000034
【図３４】
0006052530.tif 000035
【図３５】
0006052530.tif 000036
【図３６】
0006052530.tif 000037
【図３７】
0006052530.tif 000038
【図３８】
0006052530.tif 000039
【図３９】
0006052530.tif 000040
【図４０】
0006052530.tif 000041
【図４１】
0006052530.tif 000042
【図４２】
0006052530.tif 000043
【図４３】
0006052530.tif 000044
【図４４】
0006052530.tif 000045
【図４５】
0006052530.tif 000046
【図４６】
0006052530.tif 000047